(57)【要約】【課題】  好適に画面の焼付きを低減することが可能な表示装置を提供する。【解決手段】  画像に含まれる画素の輝度レベル毎の統計分布を入力画像信号に基づき検出する輝度レベル分布検出手段１と、輝度レベル分布検出手段１により検出された統計分布に応じて入力画像信号の輝度レベルを補正する輝度補正手段２、４、５と、を備える。輝度レベル分布検出手段１は、黒レベル、白レベル及びそれらの中間レベルの３つの輝度レベル毎の画素数の統計分布を検出し、輝度補正手段２、４、５は、これら３つの輝度レベル毎の画素数に応じて、入力画像信号の輝度レベルを補正する。【選択図】    図１
2006053523.tif 000002
【特許請求の範囲】
【請求項１】
表示画面に表示される画像に対して画像処理を施す画像処理装置において、
画像に含まれる画素の輝度レベル毎の統計分布を入力画像信号に基づき検出する輝度レベル分布検出手段と、
前記輝度レベル分布検出手段により検出された統計分布に応じて前記入力画像信号の輝度レベルを補正する輝度補正手段と、
を備えることを特徴とする画像処理装置。
【請求項２】
前記輝度レベル分布検出手段は、一表示画面の全体について前記統計分布を検出することを特徴とする請求項１に記載の画像処理装置。
【請求項３】
前記輝度レベル分布検出手段は、一表示画面の一部の表示領域について前記統計分布を検出することを特徴とする請求項１に記載の画像処理装置。
【請求項４】
前記輝度レベル分布検出手段は、前記一表示画面に含まれる複数箇所の表示領域について、それぞれ前記統計分布を検出し、
前記輝度補正手段は、何れかの表示領域の前記統計分布に応じて、前記入力画像信号の輝度レベルを補正することを特徴とする請求項３に記載の画像処理装置。
【請求項５】
一表示画面の全体について前記統計分布を検出する第１の前記輝度レベル分布検出手段と、
一表示画面の一部の表示領域について前記統計分布を検出する少なくとも１つの第２の前記輝度レベル分布検出手段と、
を備え、
前記輝度補正手段は、前記第１及び第２の何れかの輝度レベル分布検出手段により検出された統計分布に応じて前記入力画像信号の輝度レベルを補正することを特徴とする請求項１に記載の画像処理装置。
【請求項６】
前記輝度レベル分布検出手段による前記統計分布の検出対象となる表示領域を変更する検出領域変更手段を更に備えることを特徴とする請求項１に記載の画像処理装置。
【請求項７】
前記検出領域変更手段は、
前記統計分布の検出対象となる表示領域を指定する表示領域指定データを記憶する記憶手段と、
前記記憶手段の前記表示領域指定データを書き換える指定データ書換手段と、
を備えて構成され、
前記輝度レベル分布検出手段は、前記記憶手段に記憶された前記表示領域指定データにより指定される表示領域について前記統計分布を検出することを特徴とする請求項６に記載の画像処理装置。
【請求項８】
前記検出領域変更手段は、
前記統計分布の検出対象となる表示領域を、一表示画面の全体とする状態と、一表示画面を複数分割した各々の表示領域とする状態と、に変更することを特徴とする請求項６又は７に記載の画像処理装置。
【請求項９】
前記輝度レベル分布検出手段は、輝度レベル毎の画素数の統計分布を検出し、
前記輝度補正手段は、輝度レベル毎の画素数に応じて、前記入力画像信号の輝度レベルを補正することを特徴とする請求項１乃至８のいずれか一項に記載の画像処理装置。
【請求項１０】
前記輝度レベル分布検出手段は、少なくとも、黒レベル、白レベル及びそれらの中間レベルの３つの輝度レベル毎の画素数の統計分布を検出し、
前記輝度補正手段は、前記３つの輝度レベル毎の画素数に応じて、前記入力画像信号の輝度レベルを補正することを特徴とする請求項９に記載の画像処理装置。
【請求項１１】
前記輝度補正手段は、
前記３つの輝度レベルの画素数の大小関係に応じて、前記入力画像信号の輝度レベルを補正することを特徴とする請求項１０に記載の画像処理装置。
【請求項１２】
前記輝度補正手段は、
前記白レベルに含まれる輝度レベルのうち、特定の輝度レベルの画素数に応じて、前記入力画像信号の輝度レベルを補正することを特徴とする請求項１０又は１１に記載の画像処理装置。
【請求項１３】
前記輝度補正手段は、
前記白レベルの画素数が第１のしきい値よりも大きく、且つ、第２のしきい値よりも小さいという第１の条件と、
前記中間レベルの画素数が第３のしきい値よりも小さいという第２の条件と、
前記中間レベルよりも前記黒レベルの画素数が大きいという第３の条件と、
前記白レベルよりも前記黒レベルの画素数が大きいという第４の条件と、
を全て満たす場合に、前記入力画像信号の輝度レベルを補正することを特徴とする請求項１０乃至１２のいずれか一項に記載の画像処理装置。
【請求項１４】
前記第３の条件は、前記中間レベルよりも前記黒レベルの画素数が２倍以上大きい場合に成立することを特徴とする請求項１３に記載の画像処理装置。
【請求項１５】
前記第３の条件は、前記中間レベルよりも前記黒レベルの画素数が３倍以上大きい場合に成立することを特徴とする請求項１３に記載の画像処理装置。
【請求項１６】
前記第４の条件は、前記白レベルよりも前記黒レベルの画素数が２倍以上大きい場合に成立することを特徴とする請求項１３乃至１５のいずれか一項に記載の画像処理装置。
【請求項１７】
前記第４の条件は、前記白レベルよりも前記黒レベルの画素数が３倍以上大きい場合に成立することを特徴とする請求項１３乃至１５のいずれか一項に記載の画像処理装置。
【請求項１８】
前記輝度補正手段は、
前記黒レベルの画素数が第４のしきい値よりも大きいという第５の条件と、前記中間レベルの画素数が前記第４のしきい値よりも大きいという第６の条件と、のうち何れか一方を満たし、
且つ、
前記白レベルに含まれる輝度レベルのうち、特定の輝度レベルの画素数が第５のしきい値よりも大きいという第７の条件を満たす場合に、
前記入力画像信号の輝度レベルを補正することを特徴とする請求項１０乃至１７のいずれか一項に記載の画像処理装置。
【請求項１９】
前記輝度レベル分布検出手段は、前記入力画像信号の輝度レベルの統計分布をヒストグラム化して検出することを特徴とする請求項１乃至１８のいずれか一項に記載の画像処理装置。
【請求項２０】
前記輝度補正手段は、輝度レベルの統計分布が輝度レベルの補正対象となるような分布である状態が、所定時間よりも長く継続した場合に、前記入力画像信号の輝度レベルを補正することを特徴とする請求項１乃至１９のいずれか一項に記載の画像処理装置。
【請求項２１】
前記輝度補正手段は、前記入力画像信号の輝度を低下させることにより補正を行うことを特徴とする請求項１乃至２０のいずれか一項に記載の画像処理装置。
【請求項２２】
前記輝度補正手段は、白レベルの画素の輝度を低下させることにより補正を行うことを特徴とする請求項１乃至２１のいずれか一項に記載の画像処理装置。
【請求項２３】
前記輝度補正手段は、白レベルに含まれる輝度レベルのうち、特定の輝度レベルの画素の輝度を低下させることにより補正を行うことを特徴とする請求項１乃至２２のいずれか一項に記載の画像処理装置。
【請求項２４】
前記輝度補正手段は、補正の対象となる画素の輝度レベルを、所定割合だけ低下させることによって、補正を行うことを特徴とする請求項２１乃至２３のいずれか一項に記載の画像処理装置。
【請求項２５】
前記輝度補正手段は、補正の対象となる画素の輝度レベルを、その周囲の画素の輝度レベルが低ければ低いほど大きい割合で低下させることによって、補正を行うことを特徴とする請求項２１乃至２３のいずれか一項に記載の画像処理装置。
【請求項２６】
前記入力画像信号により表示すべき画像を複数部分に分割する画像分割手段と、
前記画像分割手段による分割後の画像を合成する画像合成手段と、
前記画像分割手段による分割後、且つ、前記画像合成手段による合成前の画像のうちの少なくとも何れか１つに対して非線形処理を施す非線形処理手段と、
前記輝度補正手段による輝度レベルの補正がなされた画像信号を表示用に出力する第１の動作モードと、前記画像分割手段、前記画像合成手段及び前記非線形処理手段による画像処理がなされた画像信号を表示用に出力する第２の動作モードと、のうちのいずれか一方の動作モードを選択する動作モード選択手段と、
を更に備えることを特徴とする請求項１乃至２５のいずれか一項に記載の画像処理装置。
【請求項２７】
前記画像分割手段は、前記輝度レベル分布検出手段により検出された前記統計分布に基づいて、前記画像を複数部分に分割することを特徴とする請求項２６に記載の画像処理装置。
【請求項２８】
前記画像分割手段は、前記画像を比較的暗い画像と比較的明るい画像とに分割し、
前記非線形処理手段は、前記比較的暗い画像に対して階調数を増加させるような非線形処理を施すことを特徴とする請求項２７に記載の画像処理装置。
【請求項２９】
前記画像分割手段は、前記画像を比較的画面の焼き付きを生じ易い画像と比較的画面の焼き付きを生じ難い画像とに分割し、
前記非線形処理手段は、前記比較的画面の焼き付きを生じ易い画像に対して画面の焼き付きを低減させるような非線形処理を施すことを特徴とする請求項２７に記載の画像処理装置。
【請求項３０】
前記画像分割手段は、前記画像を比較的暗い画像と比較的明るい画像とに分割し、
前記非線形処理手段は、前記比較的暗い画像と前記比較的明るい画像との明暗の差を低減させるような非線形処理を施すことを特徴とする請求項２７に記載の画像処理装置。
【請求項３１】
分割すべき画像の境界線を指定する操作を行うための境界線指定操作手段を更に備え、
前記画像分割手段は、前記境界線指定操作手段による指定操作に基づいて、前記画像を複数部分に分割することを特徴とする請求項２６に記載の画像処理装置。
【請求項３２】
前記非線形処理手段は、前記画像分割手段による分割後、且つ、前記画像合成手段による合成前の画像のうちの少なくとも何れか１つに対して、前記輝度レベル分布検出手段により検出された前記統計分布に応じて前記非線形処理を施すことを特徴とする請求項２６乃至３１のいずれか一項に記載の画像処理装置。
【請求項３３】
前記非線形処理手段は、前記画像分割手段による分割後、且つ、前記画像合成手段による合成前の画像の各々に対し、それぞれ個別に前記非線形処理を施すことを特徴とする請求項２６乃至３２のいずれか一項に記載の画像処理装置。
【請求項３４】
前記輝度レベル分布検出手段は、前記画像分割手段により分割された画像のうちの少なくとも何れか１つの画像について、該画像に含まれる画素の輝度レベル毎の統計分布を検出し、
前記非線形処理手段は、前記輝度レベル分布検出手段により検出された前記統計分布に応じて、前記少なくとも何れか１つの画像に対して非線形処理を施すことを特徴とする請求項２６に記載の画像処理装置。
【請求項３５】
前記輝度レベル分布検出手段は、前記画像分割手段により分割された画像の各々について、各画像に含まれる画素の輝度レベル毎の統計分布を検出し、
前記非線形処理手段は、前記画像分割手段により分割された各画像に対して、前記輝度レベル分布検出手段により検出された前記統計分布のうちの対応する統計分布に応じて、それぞれ個別に非線形処理を施すことを特徴とする請求項２６に記載の画像処理装置。
【請求項３６】
前記表示画面の全体に表示される画像を第１分割数で分割し、該分割した各々の画像について前記輝度レベル分布検出手段により前記統計分布を検出した結果と、
前記表示画面の全体に表示される画像を前記第１分割数よりも多い第２分割数で分割し、該分割した各々の画像について前記輝度レベル分布検出手段により前記統計分布を検出した結果と、
のうちの少なくとも何れか一方に基づいて、前記画像分割手段により分割すべき画像の領域を決定することを特徴とする請求項２６に記載の画像処理装置。
【請求項３７】
前記輝度レベル分布検出手段による前記統計分布の検出対象とする画像の領域を段階的に狭めていく過程を少なくとも経て、前記画像分割手段により分割すべき画像の領域を決定することを特徴とする請求項２６に記載の画像処理装置。
【請求項３８】
前記動作モードが前記第２の動作モードである場合に、前記画像分割手段により画像を複数部分に分割する処理と、前記非線形処理手段による非線形処理と、の２つの処理を行うべきか否かを判定する判定手段を更に備えることを特徴とする請求項２６乃至３７のいずれか一項に記載の画像処理装置。
【請求項３９】
前記判定手段は、前記輝度レベル分布検出手段により検出された前記統計分布に基づいて、前記判定を行うことを特徴とする請求項３８に記載の画像処理装置。
【請求項４０】
前記画像分割手段により分割された複数の画像相互間の境界部の画像を平滑化する処理を行う境界部画像処理手段を備えることを特徴とする請求項２６乃至３９のいずれか一項に記載の画像処理装置。
【請求項４１】
前記画像分割手段は、前記境界部画像処理手段に対し、前記分割された複数の画像相互間の境界部の画像に対応する画像信号を出力し、
前記境界部画像処理手段は、前記画像分割手段から出力された画像信号に対し、画像を平滑化する処理を行い、該処理後の画像信号を前記画像合成手段に出力することを特徴とする請求項４０に記載の画像処理装置。
【請求項４２】
前記境界部画像処理手段は、前記境界部において相互に隣接する画像間で、隣の画像に位置が近い画素である程、次第に隣の画像の表示輝度或いは表示色に近づけるような処理を行うことを特徴とする請求項４０又は４１に記載の画像処理装置。
【請求項４３】
前記境界部画像処理手段は、２次元ローパスフィルタにより構成されていることを特徴とする請求項４０乃至４２のいずれか一項に記載の画像処理装置。
【請求項４４】
前記境界部画像処理手段による平滑化処理の有効／無効の選択操作を行うための平滑化処理有効／無効選択操作手段を更に備え、
前記画像合成手段は、前記平滑化処理有効／無効選択操作手段に対し、前記平滑化処理を有効とする操作がなされた場合には、前記境界部画像処理手段による平滑化処理後の画像信号と、前記画像分割手段による分割後の他の画像と対応する画像信号と、を合成する一方で、前記平滑化処理を無効とする操作がなされた場合には、前記境界部画像処理手段による平滑化処理後の画像信号を除く画像信号のみを合成することを特徴とする請求項４１に記載の画像処理装置。
【請求項４５】
前記境界部画像処理手段により画像を平滑化する処理の対象となる前記境界部の表示領域の範囲を指定する操作を行うための境界部範囲指定操作手段を更に備え、
前記境界部画像処理手段は、前記境界部範囲指定操作手段により指定操作された範囲の画像に対して、該画像を平滑化する処理を行うことを特徴とする請求項４０乃至４４のいずれか一項に記載の画像処理装置。
【請求項４６】
前記非線形処理手段は、前記非線形処理としてガンマ処理を行うことを特徴とする請求項２６乃至４５のいずれか一項に記載の画像処理装置。
【請求項４７】
前記非線形処理手段は、前記非線形処理としてコントラスト調整処理を行うことを特徴とする請求項２６乃至４５のいずれか一項に記載の画像処理装置。
【請求項４８】
前記非線形処理手段は、前記非線形処理としてシャープネス調整処理を行うことを特徴とする請求項２６乃至４５のいずれか一項に記載の画像処理装置。
【請求項４９】
前記非線形処理手段は、前記非線形処理としてノイズリダクション処理を行うことを特徴とする請求項２６乃至４５のいずれか一項に記載の画像処理装置。
【請求項５０】
前記非線形処理手段は、前記非線形処理として色補正処理を行うことを特徴とする請求項２６乃至４５のいずれか一項に記載の画像処理装置。
【請求項５１】
前記非線形処理手段は、前記非線形処理として、ガンマ処理、コントラスト調整処理、シャープネス調整処理、ノイズリダクション処理及び色補正処理のうちの少なくとも何れか一つを行うことを特徴とする請求項２６乃至４５のいずれか一項に記載の画像処理装置。
【請求項５２】
前記非線形処理手段による非線形処理の態様を指定する操作を行うための非線形処理指定操作手段を更に備え、
前記非線形処理手段は、前記非線形処理指定操作手段による指定操作に基づいた態様で、非線形処理を施すことを特徴とする請求項２６乃至５１のいずれか一項に記載の画像処理装置。
【請求項５３】
白レベルの画像の表示位置を検出する画像位置検出手段を更に備え、
前記輝度補正手段は、前記画像位置検出手段による検出結果、及び、前記輝度レベル分布検出手段により検出された統計分布に応じて、前記入力画像信号の輝度レベルを補正することを特徴とする請求項１に記載の画像処理装置。
【請求項５４】
請求項１乃至５３のいずれか一項に記載の画像処理装置と、
前記入力画像信号に基づく画像表示を行う表示部と、
を備えることを特徴とする表示装置。
【請求項５５】
当該表示装置は、前記表示部としてプラズマディスプレイパネルを備えるプラズマ表示装置であることを特徴とする請求項５４に記載の表示装置。
【請求項５６】
前記輝度補正手段は、輝度レベルの補正の際に、前記プラズマディスプレイパネルの維持周波数を徐々に変化させることを特徴とする請求項５５に記載の表示装置。
【請求項５７】
表示画面に表示される画像に対して画像処理を施す方法において、
画像に含まれる画素の輝度レベル毎の統計分布を入力画像信号に基づき検出する輝度レベル分布検出工程と、
前記輝度レベル分布検出工程により検出された統計分布に応じて前記入力画像信号の輝度レベルを補正する輝度補正工程と、
を備えることを特徴とする画像処理装置。
【請求項５８】
コンピュータが実行可能なプログラムにおいて、
画像に含まれる画素の輝度レベル毎の統計分布を入力画像信号に基づき検出する処理と、
前記統計分布に応じて前記入力画像信号の輝度レベルを補正する処理と、
を実行することを特徴とするプログラム。
【発明の詳細な説明】
【技術分野】
【０００１】
本発明は、画像処理装置、表示装置、画像処理方法及びプログラムに関する。
【背景技術】
【０００２】
表示装置において、例えば、白レベルで高輝度の画素が局所的に存在し、その周囲に黒レベルの画素が存在する状態が長く継続するような場合などに、画面の焼付きなどの悪影響が生じてしまう。
【０００３】
このような悪影響の発生を抑制する従来の技術としては、例えば、特許文献１の技術がある。
【０００４】
特許文献１に開示された表示装置は、図３１に示すように、画像信号のＡＰＬ（Ａｖｅｒａｇｅ  Ｐｉｃｔｕｒｅ  Ｌｅｖｅｌ：輝度レベルの平均値データ）を検出するＡＰＬ検出部１０１と、ＡＰＬ検出部１０１からの検出信号に応じて輝度を制御（補正）する輝度制御部１０２と、輝度制御部１０２からの画像信号により画像表示を行うプラズマディスプレイパネル１０３と、を備え、輝度制御部１０２は、ある範囲のＡＰＬ値が一定時間継続した場合に、輝度制御を行うように構成されている。
【特許文献１】特開２０００−３０５５１４号公報
【発明の開示】
【発明が解決しようとする課題】
【０００５】
しかしながら、上記の従来技術では、ＡＰＬの検出を行い、画面全体の平均輝度を検出しているため、画面の焼付きなどの軽減効果が十分ではなかった。すなわち、例えば、白レベルの画素数が多い画面であるか、或いはそうでないかの判断などができず、例えば時計表示など、画面のほとんどの画素が黒レベルであり、白レベルの画素が少ししかない映像の時には、それを検出し、輝度を補正することができない。
【０００６】
本発明は、上記のような問題点を解決するためになされたもので、より好適に画面の焼付きなどの悪影響を低減することが可能な画像処理装置、表示装置、画像処理方法及びプログラムを提供することを目的とする。
【課題を解決するための手段】
【０００７】
上記課題を解決するため、本発明の画像処理装置は、表示画面に表示される画像に対して画像処理を施す画像処理装置において、画像に含まれる画素の輝度レベル毎の統計分布を入力画像信号に基づき検出する輝度レベル分布検出手段と、前記輝度レベル分布検出手段により検出された統計分布に応じて前記入力画像信号の輝度レベルを補正する輝度補正手段と、を備えることを特徴としている。
【０００８】
本発明の画像処理装置においては、前記輝度レベル分布検出手段は、一表示画面の全体について前記統計分布を検出することを好ましい一例とする。
【０００９】
或いは、本発明の画像処理装置においては、前記輝度レベル分布検出手段は、一表示画面の一部の表示領域について前記統計分布を検出することも好ましい。
【００１０】
この場合、前記輝度レベル分布検出手段は、前記一表示画面に含まれる複数箇所の表示領域について、それぞれ前記統計分布を検出し、前記輝度補正手段は、何れかの表示領域の前記統計分布に応じて、前記入力画像信号の輝度レベルを補正することも好ましい。
【００１１】
或いは、本発明の画像処理装置においては、一表示画面の全体について前記統計分布を検出する第１の前記輝度レベル分布検出手段と、一表示画面の一部の表示領域について前記統計分布を検出する少なくとも１つの第２の前記輝度レベル分布検出手段と、を備え、前記輝度補正手段は、前記第１及び第２の何れかの輝度レベル分布検出手段により検出された統計分布に応じて前記入力画像信号の輝度レベルを補正することも好ましい。
【００１２】
或いは、本発明の画像処理装置においては、前記輝度レベル分布検出手段による前記統計分布の検出対象となる表示領域を変更する検出領域変更手段を更に備えることも好ましい。
【００１３】
本発明の画像処理装置においては、前記検出領域変更手段は、前記統計分布の検出対象となる表示領域を指定する表示領域指定データを記憶する記憶手段と、前記記憶手段の前記表示領域指定データを書き換える指定データ書換手段と、を備えて構成され、前記輝度レベル分布検出手段は、前記記憶手段に記憶された前記表示領域指定データにより指定される表示領域について前記統計分布を検出することが好ましい。
【００１４】
本発明の画像処理装置においては、前記検出領域変更手段は、前記統計分布の検出対象となる表示領域を、一表示画面の全体とする状態と、一表示画面を複数分割した各々の表示領域とする状態と、に変更することを好ましい一例とする。
【００１５】
本発明の画像処理装置においては、前記輝度レベル分布検出手段は、輝度レベル毎の画素数の統計分布を検出し、前記輝度補正手段は、輝度レベル毎の画素数に応じて、前記入力画像信号の輝度レベルを補正することが好ましい。
【００１６】
本発明の画像処理装置においては、前記輝度レベル分布検出手段は、少なくとも、黒レベル、白レベル及びそれらの中間レベルの３つの輝度レベル毎の画素数の統計分布を検出し、前記輝度補正手段は、前記３つの輝度レベル毎の画素数に応じて、前記入力画像信号の輝度レベルを補正することが好ましい。
【００１７】
本発明の画像処理装置においては、前記輝度補正手段は、前記３つの輝度レベルの画素数の大小関係に応じて、前記入力画像信号の輝度レベルを補正することが好ましい。
【００１８】
本発明の画像処理装置においては、前記輝度補正手段は、前記白レベルに含まれる輝度レベルのうち、特定の輝度レベルの画素数に応じて、前記入力画像信号の輝度レベルを補正することが好ましい。
【００１９】
本発明の画像処理装置においては、前記輝度補正手段は、前記白レベルの画素数が第１のしきい値よりも大きく、且つ、第２のしきい値よりも小さいという第１の条件と、前記中間レベルの画素数が第３のしきい値よりも小さいという第２の条件と、前記中間レベルよりも前記黒レベルの画素数が大きいという第３の条件と、前記白レベルよりも前記黒レベルの画素数が大きいという第４の条件と、を全て満たす場合に、前記入力画像信号の輝度レベルを補正することが好ましい。
【００２０】
本発明の画像処理装置においては、前記第３の条件は、前記中間レベルよりも前記黒レベルの画素数が２倍以上大きい場合に成立することが好ましい。
【００２１】
或いは、前記第３の条件は、前記中間レベルよりも前記黒レベルの画素数が３倍以上大きい場合に成立することも好ましい。
【００２２】
また、前記第４の条件は、前記白レベルよりも前記黒レベルの画素数が２倍以上大きい場合に成立することが好ましい。
【００２３】
或いは、前記第４の条件は、前記白レベルよりも前記黒レベルの画素数が３倍以上大きい場合に成立することも好ましい。
【００２４】
本発明の画像処理装置においては、前記輝度補正手段は、前記黒レベルの画素数が第４のしきい値よりも大きいという第５の条件と、前記中間レベルの画素数が前記第４のしきい値よりも大きいという第６の条件と、のうち何れか一方を満たし、且つ、前記白レベルに含まれる輝度レベルのうち、特定の輝度レベルの画素数が第５のしきい値よりも大きいという第７の条件を満たす場合に、前記入力画像信号の輝度レベルを補正することが好ましい。
【００２５】
本発明の画像処理装置においては、前記輝度レベル分布検出部は、前記入力画像信号の輝度レベルの分布をヒストグラム化して検出することが好ましい。
【００２６】
本発明の画像処理装置においては、前記輝度補正手段は、輝度レベルの統計分布が、輝度レベルの補正対象となるような分布である状態が所定時間よりも長く継続した場合に、前記入力画像信号の輝度レベルを補正することが好ましい。
【００２７】
本発明の画像処理装置においては、前記輝度補正部は、前記入力画像信号の輝度を低下させることにより補正を行うことが好ましい。
【００２８】
本発明の画像処理装置においては、前記輝度補正部は、白レベルの画素の輝度を低下させることにより補正を行うことが好ましい。
【００２９】
本発明の画像処理装置においては、前記輝度補正部は、白レベルに含まれる輝度レベルのうち、特定の輝度レベルの画素の輝度を低下させることにより補正を行うことが好ましい。
【００３０】
本発明の画像処理装置においては、前記輝度補正手段は、補正の対象となる画素の輝度レベルを、所定割合だけ低下させることによって、補正を行うことが好ましい。
【００３１】
或いは、本発明の画像処理装置においては、前記輝度補正手段は、補正の対象となる画素の輝度レベルを、その周囲の画素の輝度レベルが低ければ低いほど大きい割合で低下させることによって、補正を行うことも好ましい。
【００３２】
本発明の画像処理装置においては、前記入力画像信号により表示すべき画像を複数部分に分割する画像分割手段と、前記画像分割手段による分割後の画像を合成する画像合成手段と、前記画像分割手段による分割後、且つ、前記画像合成手段による合成前の画像のうちの少なくとも何れか１つに対して非線形処理を施す非線形処理手段と、前記輝度補正手段による輝度レベルの補正がなされた画像信号を表示用に出力する第１の動作モードと、前記画像分割手段、前記画像合成手段及び前記非線形処理手段による画像処理がなされた画像信号を表示用に出力する第２の動作モードと、のうちのいずれか一方の動作モードを選択する動作モード選択手段と、を更に備えることが好ましい。
【００３３】
本発明の画像処理装置においては、前記画像分割手段は、前記輝度レベル分布検出手段により検出された前記統計分布に基づいて、前記画像を複数部分に分割することが好ましい。
【００３４】
この場合、前記画像分割手段は、前記画像を比較的暗い画像と比較的明るい画像とに分割し、前記非線形処理手段は、前記比較的暗い画像に対して階調数を増加させるような非線形処理を施すことが好ましい。
【００３５】
或いは、前記画像分割手段は、前記画像を比較的画面の焼き付きを生じ易い画像と比較的画面の焼き付きを生じ難い画像とに分割し、前記非線形処理手段は、前記比較的画面の焼き付きを生じ易い画像に対して画面の焼き付きを低減させるような非線形処理を施すことも好ましい。
【００３６】
或いは、前記画像分割手段は、前記画像を比較的暗い画像と比較的明るい画像とに分割し、前記非線形処理手段は、前記比較的暗い画像と前記比較的明るい画像との明暗の差を低減させるような非線形処理を施すことも好ましい。
【００３７】
本発明の画像処理装置においては、分割すべき画像の境界線を指定する操作を行うための境界線指定操作手段を更に備え、前記画像分割手段は、前記境界線指定操作手段による指定操作に基づいて、前記画像を複数部分に分割することも好ましい。
【００３８】
本発明の画像処理装置においては、前記非線形処理手段は、前記画像分割手段による分割後、且つ、前記画像合成手段による合成前の画像のうちの少なくとも何れか１つに対して、前記輝度レベル分布検出手段により検出された前記統計分布に応じて前記非線形処理を施すことが好ましい。
【００３９】
本発明の画像処理装置においては、前記非線形処理手段は、前記画像分割手段による分割後、且つ、前記画像合成手段による合成前の画像の各々に対し、それぞれ個別に前記非線形処理を施すことも好ましい。
【００４０】
本発明の画像処理装置においては、前記輝度レベル分布検出手段は、前記画像分割手段により分割された画像のうちの少なくとも何れか１つの画像について、該画像に含まれる画素の輝度レベル毎の統計分布を検出し、前記非線形処理手段は、前記輝度レベル分布検出手段により検出された前記統計分布に応じて、前記少なくとも何れか１つの画像に対して非線形処理を施すことも好ましい。
【００４１】
本発明の画像処理装置においては、前記輝度レベル分布検出手段は、前記画像分割手段により分割された画像の各々について、各画像に含まれる画素の輝度レベル毎の統計分布を検出し、前記非線形処理手段は、前記画像分割手段により分割された各画像に対して、前記輝度レベル分布検出手段により検出された前記統計分布のうちの対応する統計分布に応じて、それぞれ個別に非線形処理を施すことも好ましい。
【００４２】
本発明の画像処理装置においては、前記表示画面の全体に表示される画像を第１分割数で分割し、該分割した各々の画像について前記輝度レベル分布検出手段により前記統計分布を検出した結果と、前記表示画面の全体に表示される画像を前記第１分割数よりも多い第２分割数で分割し、該分割した各々の画像について前記輝度レベル分布検出手段により前記統計分布を検出した結果と、のうちの少なくとも何れか一方に基づいて、前記画像分割手段により分割すべき画像の領域を決定することも好ましい。
【００４３】
本発明の画像処理装置においては、前記輝度レベル分布検出手段による前記統計分布の検出対象とする画像の領域を段階的に狭めていく過程を少なくとも経て、前記画像分割手段により分割すべき画像の領域を決定することも好ましい。
【００４４】
本発明の画像処理装置においては、前記動作モードが前記第２の動作モードである場合に、前記画像分割手段により画像を複数部分に分割する処理と、前記非線形処理手段による非線形処理と、の２つの処理を行うべきか否かを判定する判定手段を更に備えることも好ましい。
【００４５】
この場合、前記判定手段は、前記輝度レベル分布検出手段により検出された前記統計分布に基づいて、前記判定を行うことが好ましい。
【００４６】
本発明の画像処理装置においては、前記画像分割手段により分割された複数の画像相互間の境界部の画像を平滑化する処理を行う境界部画像処理手段を備えることが好ましい。
【００４７】
この場合、前記画像分割手段は、前記境界部画像処理手段に対し、前記分割された複数の画像相互間の境界部の画像に対応する画像信号を出力し、前記境界部画像処理手段は、前記画像分割手段から出力された画像信号に対し、画像を平滑化する処理を行い、該処理後の画像信号を前記画像合成手段に出力することが好ましい。
【００４８】
本発明の画像処理装置においては、前記境界部画像処理手段は、前記境界部において相互に隣接する画像間で、隣の画像に位置が近い画素である程、次第に隣の画像の表示輝度或いは表示色に近づけるような処理を行うことが好ましい。
【００４９】
本発明の画像処理装置においては、前記境界部画像処理手段は、２次元ローパスフィルタにより構成されていることが好ましい。
【００５０】
本発明の画像処理装置においては、前記境界部画像処理手段による平滑化処理の有効／無効の選択操作を行うための平滑化処理有効／無効選択操作手段を更に備え、前記画像合成手段は、前記平滑化処理有効／無効選択操作手段に対し、前記平滑化処理を有効とする操作がなされた場合には、前記境界部画像処理手段による平滑化処理後の画像信号と、前記画像分割手段による分割後の他の画像と対応する画像信号と、を合成する一方で、前記平滑化処理を無効とする操作がなされた場合には、前記境界部画像処理手段による平滑化処理後の画像信号を除く画像信号のみを合成することが好ましい。
【００５１】
本発明の画像処理装置においては、前記境界部画像処理手段により画像を平滑化する処理の対象となる前記境界部の表示領域の範囲を指定する操作を行うための境界部範囲指定操作手段を更に備え、前記境界部画像処理手段は、前記境界部範囲指定操作手段により指定操作された範囲の画像に対して、該画像を平滑化する処理を行うことが好ましい。
【００５２】
本発明の画像処理装置においては、前記非線形処理手段は、前記非線形処理としてガンマ処理を行うことを好ましい一例とする。
【００５３】
或いは、本発明の画像処理装置においては、前記非線形処理手段は、前記非線形処理としてコントラスト調整処理や、シャープネス調整処理や、ノイズリダクション処理や、色補正処理を行うことも好ましい。
【００５４】
或いは、本発明の画像処理装置においては、前記非線形処理手段は、前記非線形処理として、ガンマ処理、コントラスト調整処理、シャープネス調整処理、ノイズリダクション処理及び色補正処理のうちの少なくとも何れか一つ又は複数を行うことも好ましい。
【００５５】
本発明の画像処理装置においては、前記非線形処理手段による非線形処理の態様を指定する操作を行うための非線形処理指定操作手段を更に備え、前記非線形処理手段は、前記非線形処理指定操作手段による指定操作に基づいた態様で、非線形処理を施すことも好ましい。
【００５６】
本発明の画像処理装置においては、白レベルの画像の表示位置を検出する画像位置検出手段を更に備え、前記輝度補正手段は、前記画像位置検出手段による検出結果、及び、前記輝度レベル分布検出手段により検出された統計分布に応じて、前記入力画像信号の輝度レベルを補正することも好ましい。
【００５７】
本発明の表示装置は、本発明の画像処理装置と、前記入力画像信号に基づく画像表示を行う表示部と、を備えることを特徴としている。
【００５８】
本発明の表示装置は、前記表示部としてプラズマディスプレイパネルを備えるプラズマ表示装置であることを好ましい一例とする。
【００５９】
この場合、前記輝度補正部は、輝度レベルの補正の際に、前記プラズマディスプレイパネルの維持周波数を徐々に変化させることが好ましい。
【００６０】
また、本発明の画像処理方法は、表示画面に表示される画像に対して画像処理を施す方法において、画像に含まれる画素の輝度レベル毎の統計分布を入力画像信号に基づき検出する輝度レベル分布検出工程と、前記輝度レベル分布検出工程により検出された統計分布に応じて前記入力画像信号の輝度レベルを補正する輝度補正工程と、を備えることを特徴としている。
【００６１】
また、本発明のプログラムは、コンピュータが実行可能なプログラムにおいて、画像に含まれる画素の輝度レベル毎の統計分布を入力画像信号に基づき検出する処理と、前記統計分布に応じて前記入力画像信号の輝度レベルを補正する処理と、を実行することが好ましい。
【発明の効果】
【００６２】
本発明によれば、画像に含まれる画素の輝度レベル毎の統計分布を入力画像信号に基づき検出する輝度レベル分布検出手段と、前記輝度レベル分布検出手段により検出された統計分布に応じて前記入力画像信号の輝度レベルを補正する輝度補正手段と、を備えるので、従来よりも好適に画面の焼付きなどの悪影響の発生を抑制することができるとともに、画質を向上させることができる。
【００６３】
すなわち、具体的には、例えば、輝度レベル分布検出手段により白レベルの割合を検出することができ、輝度補正手段により、白レベルの割合が多い場合などに輝度を補正することができる。
【００６４】
また、例えば時計表示など、画面のほとんどの画素が黒レベルであり、白レベルの画素が少ししかない画像の表示時にも、それを検出し、輝度を補正することができる。
【００６５】
また、本発明によれば、画像に含まれる画素の輝度レベル毎の統計分布を入力画像信号に基づき検出する輝度レベル分布検出工程と、前記輝度レベル分布検出工程により検出された統計分布に応じて前記入力画像信号の輝度レベルを補正する輝度補正工程と、を備えるので、同様に、従来よりも好適に画面の焼付きなどの悪影響の発生を抑制することができるとともに、画質を向上させることができる。
【００６６】
更に、本発明によれば、前記入力画像信号により表示すべき画像を複数部分に分割する画像分割手段と、前記画像分割手段による分割後の画像を合成する画像合成手段と、前記画像分割手段による分割後、且つ、前記画像合成手段による合成前の画像のうちの少なくとも何れか１つに対して非線形処理を施す非線形処理手段と、前記輝度補正手段による輝度レベルの補正を行う第１の動作モードと、前記画像分割手段、前記画像合成手段及び前記非線形処理手段による画像処理を行う第２の動作モードと、のうちのいずれか一方の動作モードを選択する動作モード選択手段と、を更に備えることとすれば、例えば、入力される一の画像信号により表示すべき画像の一部が画面の焼き付きが生じやすいような画像である場合に、その画像の一部に対してのみ該画像における明暗の差を小さくさせるような非線形処理を施すことにより画面の焼き付きを低減させることができる一方で、画像のそれ以外の部分には通常の明るさとなるような非線形処理を施したり或いは非線形処理を施さないことにより通常の明るさとなるように表示することができる。また、白を強調したい画像を表示画面の一部で表示しながら、その他の部分では暗い画像を表示する場合に、該暗い画像に対して階調数を増加させるように非線形処理を施して画質を向上させ、該暗い画像をはっきりと見せることもできる。
【発明を実施するための最良の形態】
【００６７】
以下、図面を参照して、本発明に係る実施形態について説明する。
【００６８】
〔第１の実施形態〕
図１は第１の実施形態に係る表示装置１００の構成を示すブロック図である。
【００６９】
図１に示すように、本実施形態に係る表示装置１００は、入力される画像信号（以下、入力画像信号）に対して輝度補正処理を行うことにより表示画面における焼き付きを軽減させる焼付き軽減部（画像処理装置）１０と、該焼付き軽減部１０の輝度補正部２（後述）による補正後或いは補正されないままの画像信号が入力され、該入力される画像信号に基づき画像表示を行う表示部２０と、を備えて構成されている。
【００７０】
このうち焼付き軽減部１０は、入力画像信号に基づいて、画像に含まれる画素の輝度レベル毎の統計分布をヒストグラム化して検出するヒストグラム検出部（輝度レベル分布検出手段）１と、このヒストグラム検出部１を介して画像信号が入力され、必要に応じて画像信号の輝度レベルを補正する輝度補正部２と、ヒストグラム検出部１により検出された統計分布に関するデータが入力されるマイクロコンピュータ４（以下、マイコン４と略記）と、を備えて構成されている。
【００７１】
なお、マイコン４及び輝度補正部２により、輝度補正手段が構成されている。
【００７２】
マイコン４は、ＣＰＵとメモリを備えて構成され、メモリにはＣＰＵ制御用のプログラムが格納されている。ＣＰＵひいてはマイコン４は、このプログラムに従って、動作する。
【００７３】
また、本実施形態の場合、表示装置１００は、例えば、表示部２０としてプラズマディスプレイパネルを備えるプラズマ表示装置である。
【００７４】
本実施形態の場合、ヒストグラム検出部１は、例えば、表示部２０の表示画面（一表示画面）の全体に表示される画像について、該画像に含まれる画素の輝度レベル毎の統計分布（以下、輝度レベル分布）を検出する。
【００７５】
ヒストグラム検出部１は、より具体的には、輝度レベル毎に画素数を計数し、該計数した画素数の統計分布を求めて、ヒストグラム化するように構成されている。
【００７６】
更に具体的には、ヒストグラム検出部１は、例えば、黒レベル、白レベル及びそれらの中間レベルの３つの輝度レベル毎の画素数の統計分布を検出してヒストグラム化するように構成されている。
【００７７】
すなわち、例えば、図３乃至図９に示すように、ヒストグラム検出部１は、ヒストグラムを（１）黒レベルエリア（黒レベル）、（２）中間レベルエリア（中間レベル）及び（３）白レベルエリア（白レベル）の３つの輝度レベルのエリアに分割して各エリア毎の合計画素数を計数し、ヒストグラム化を行う。
【００７８】
ここで、図３乃至図９に示す折れ線グラフは、各輝度レベル毎の画素数であり、このうち上記（１）〜（３）の各エリアに含まれる輝度レベルの画素数を合計したものが、それぞれの図におけるヒストグラムとして表されている。
【００７９】
なお、図２（ｂ）、並びに、図３乃至図９において、それぞれ右側ほど高輝度のエリア、左側ほど低輝度のエリアとなっている。
【００８０】
例えば、図３乃至図９に示すように、輝度レベルの階調数が０〜２５５の２５６の場合、輝度レベル０〜８５の８６階調分を（１）黒レベルエリアに含ませ、輝度レベル８６〜１７０の８５階調分を（２）中間レベルエリアに含ませ、輝度レベル１７１〜２５５の８５階調分を（３）白レベルエリアに含ませると良い。
【００８１】
更に、ヒストグラム検出部１は、例えば図２（ｂ）に示すように、（１）〜（３）の各エリアに含まれる輝度レベルを更に細分化し、該細分化された輝度レベル毎の画素数の分布を検出してヒストグラム化することも可能に構成されている。
【００８２】
ここで、（１）黒レベル、（２）中間レベル、及び、（３）白レベルは、画像信号の輝度レベル範囲内である０〜１０２４（デジタル１０ｂｉｔ信号の場合）を三分割した合計画素数であり、各レベルの合計画素数には以下の関係式が成り立つ。
【００８３】
（１）黒レベルに含まれる合計画素数＋（２）中間レベルに含まれる合計画素数＋（３）白レベルに含まれる合計画素数＝一表示画面に含まれる全画素数（解像度）（例えばＶＧＡの場合：６４０×４８０＝３０７２００）
ヒストグラム検出部１は、上記のように検出した輝度レベル分布のデータ（以下、輝度レベル分布データ）を、マイコン４に送信する。
【００８４】
また、マイコン４は、ヒストグラム検出部１からの輝度レベル分布データに応じて、表示部２０の表示画面に焼付きが生じる可能性の有無を判定し、焼付きが生じる可能性があると判定した場合に、輝度レベルの補正動作を行わせるべく、輝度補正部２に対して制御データを送信する。
【００８５】
ここで、（１）黒レベルに含まれる合計画素数、（２）中間レベルに含まれる合計画素数、及び、（３）白レベルに含まれる合計画素数を、それぞれ単に（１）、（２）、（３）と表記すると、輝度レベルの補正を行うか否かの判定は、以下のＡ、Ｂ及びＣのうちの何れか１つ或いは複数の組み合わせの条件を判定基準として行う。
【００８６】
Ａ・・・（１）、（２）及び（３）の値に応じて行う（黒レベル、白レベル及びそれらの中間レベルの３つの輝度レベル毎の画素数に応じて、前記入力画像信号の輝度レベルを補正する）。
【００８７】
Ｂ・・・（１）、（２）、（３）の値の大小関係に応じて行う（黒レベル、白レベル及びそれらの中間レベルの３つの輝度レベルの画素数の大小関係に応じて、前記入力画像信号の輝度レベルを補正する）。
【００８８】
Ｃ・・・白レベルのうち特定の輝度レベル（階調）の画素数の値（以下、単に（４）と表記する）に応じて行う。
【００８９】
本実施形態の場合、より具体的には、輝度レベルの補正を行うか否かの判定基準として、例えば、以下の条件Ｄ及びＥを用いる。
【００９０】
＜条件Ｄ＞
条件Ｄは、図５に示すように、「第１のしきい値ａ＜（３）＜第２のしきい値ｂ」という第１の条件と、「（２）＜第３のしきい値ｃ」という第２の条件と、「（１）≫（２）」という第３の条件と、「（１）≫（３）」という第４の条件と、を全て満たす場合に成立する。
【００９１】
ここで、例えば、第２のしきい値ｂ＜第３のしきい値ｃが成立する。
【００９２】
また、（１）≫（２）は、具体的には、例えば、（１）が（２）の２倍以上或いは３倍以上である場合を意味する。
【００９３】
また、（１）≫（３）は、具体的には、例えば、（１）が（３）の２倍以上或いは３倍以上である場合を意味する。
【００９４】
＜条件Ｅ＞
条件Ｅは、図４に示すように、「（１）＞第４のしきい値ｄ」という第５の条件と、「（２）＞第４のしきい値ｄ」という第６の条件と、のうち何れか一方を満たし、且つ、「（４）＞第５のしきい値ｅ」という第７の条件を満たす場合に成立する。
【００９５】
ここで、例えば、第３のしきい値ｃ＜第４のしきい値ｄが成立する。
【００９６】
また、例えば、第２のしきい値ｂ＜第５のしきい値ｅ＜第３のしきい値ｃが成立する。
【００９７】
そして、マイコン４は、上記の条件Ｄ又はＥに当てはまると判定される状態が、合計で所定時間α（例えば、３０秒又は１分）以上継続する場合に、画面の焼付きが生じる可能性があると判定し、輝度レベルの補正動作を行わせるべく、輝度補正部２に対して制御データを送信する。
【００９８】
他方、条件Ｄ及び条件Ｅの何れにも当てはまらない図３、図６、図７、図８及び図９の場合、並びに、条件Ｄ又は条件Ｅに当てはまるがその状態が上記所定時間α未満しか継続しない場合には、画面の焼付きが生じる可能性がないと判定し、輝度レベルの補正を行わない。
【００９９】
なお、条件Ｅに当てはまる図４に示す輝度レベル分布を細分化すると、図２（ｂ）に示すのと同様の輝度レベル分布になる。図２（ｂ）に示す輝度レベル分布は、例えば、図２（ａ）に示すように、画面のほぼ全体が薄暗く、右上の隅に高輝度で白の時計表示がなされているような画面表示の場合に得られる。図２（ａ）に示すような画面表示状態は、それが継続すると画面の焼付きが生じる可能性がある。この場合、ヒストグラム検出部１により検出される輝度レベル分布には、図２（ｂ）に示すように、（１）が比較的多い一方で、（４）に際だったピークが見られる。
【０１００】
また、条件Ｄに当てはまる図５に示す輝度レベル分布は、（４）の際だったピークはないものの、（１）が多く、（３）もある程度多いような画面表示の場合に得られる。このような場合も、図４と同様に、画面の焼付きが生じる可能性があるため、輝度レベルの補正を行う。
【０１０１】
なお、図３に示すように（２）が多く（１）及び（３）がともに少ない場合、図６に示すように（３）は多いが（１）が少ない場合、図７に示すように（１）〜（３）がそれぞれ同程度の場合、図８に示すように（１）及び（３）が（２）よりもやや多いが（１）及び（３）が相互に同程度の場合、図９に示すように（３）が少なく（４）のピークもない場合には、何れも画面の焼付きが生じる可能性があまりないため、画面の焼付きが生じる可能性がないと判定し、輝度レベルの補正を行わない。
【０１０２】
このように、マイコン４は、白レベルの画素数が一定以上の値である場合に、輝度レベルの補正のために輝度補正部２に制御データを送信する。
【０１０３】
また、輝度補正部２は、輝度レベルの補正のためにマイコン４から制御データが送信されると、ヒストグラム検出部１を介して入力される入力画像信号に対し、輝度レベルの補正を行う。
【０１０４】
ここで、輝度補正部２による補正は、例えば、補正の対象となる白レベルの画素（例えば、（３）の全ての画素を一様に）の輝度レベルを、所定割合だけ低下させることにより行う。
【０１０５】
この補正は、具体的には、例えば、白レベルの画素の輝度を７０％以下（具体的には、例えば７０％）に低下させる（つまり３０％だけ低下させる）ことにより行うことが挙げられる。或いは、白レベルの画素の輝度を５０％以下（具体的には、例えば５０％）に低下させる（つまり５０％だけ低下させる）ことにより補正を行うことが挙げられる。
【０１０６】
或いは、白レベルの画素のうち特定の画素、すなわち、（４）の白ピーク付近輝度レベルにある画素の輝度を低下させるように行うことも好ましい。この補正も、具体的には、例えば、（４）の白ピーク付近輝度レベルにある画素の輝度を７０％以下（具体的には、例えば、７０％）に低下させることにより、或いは、５０％以下（具体的には、例えば、５０％）に低下させることにより行うことが挙げられる。
【０１０７】
或いは、（４）の白ピークの輝度レベルの画素のみの輝度を低下させるように行うことも好ましい。この補正も、具体的には、例えば、該当する画素の輝度を７０％以下（具体的には、例えば、７０％）に低下させることにより、或いは、５０％以下（具体的には、例えば、５０％）に低下させることにより行うことが挙げられる。
【０１０８】
ここで、輝度補正部２による補正は、輝度の補正を行っていることを表示部２０の表示画面を観る人に感じさせないように、表示部２０の維持周波数を徐々に変化させて行う。
【０１０９】
また、輝度補正部２は、このように必要に応じて補正が施された入力画像信号（画面の焼き付きが発生する可能性があると判定された場合には補正された入力画像信号であり、画面の焼き付きが発生する可能性がないと判定された場合には補正されていない入力画像信号である）を表示部２０に送信する。
【０１１０】
表示部２０は、その表示画面（図示略）にて、輝度補正部２からの入力画像信号に基づく画像表示を行う。
【０１１１】
次に、図１０のフローチャートを参照して、マイコン４の動作を説明する。
【０１１２】
なお、図１０に示す処理は、マイコン４により所定周期毎に繰り返し行われる処理である。
【０１１３】
先ず、ステップＳ１では、「第１のしきい値ａ＜（３）白レベルの画素数＜第２のしきい値ｂ」という第１の条件が成立するか否かを判定する。
【０１１４】
第１の条件が成立すると判定した場合（ステップＳ１のＹＥＳ）、ステップ２に移行し、「（２）中間レベルの画素数＜第３のしきい値ｃ」という第２の条件が成立するか否かを判定する。
【０１１５】
第２の条件が成立すると判定した場合（ステップＳ２のＹＥＳ）、ステップＳ３に移行し、「（１）黒レベルの画素数≫（２）中間レベルの画素数」という第３の条件が成立するか否かを判定する。
【０１１６】
第３の条件が成立すると判定した場合（ステップＳ３のＹＥＳ）、ステップＳ４に移行し、「（１）黒レベルの画素数≫（３）白レベルの画素数」という第４の条件が成立するか否かを判定する。
【０１１７】
第４の条件が成立すると判定した場合（ステップＳ４のＹＥＳ）、すなわち、上記第１乃至第４の全ての条件が成立すると判定した場合、ステップＳ５に移行する。
【０１１８】
なお、上記ステップＳ１〜Ｓ４は、上記の条件Ｄに当てはまるか否かを判定する過程である。
【０１１９】
ステップＳ５では、タイマーのカウント値を「１」だけ加算する。
【０１２０】
続くステップＳ６では、タイマーのカウント値が所定時間α（例えば、３０秒又は１分）に相当する値よりも大きいか否かを判定する。
【０１２１】
タイマーのカウント値が所定時間αに相当する値よりも大きいと判定した場合（ステップＳ６のＹＥＳ）、ステップＳ７に移行し、画面の焼き付きを生じる可能性があると判定するとともに、輝度補正を行わせるべく、輝度補正部２に制御データを送信し、再びステップＳ１以降の処理を繰り返す。
【０１２２】
他方、上記ステップＳ６にて、タイマーのカウント値が所定時間αに相当する値よりも大きくはないと判定した場合（ステップＳ６のＮＯ）、ステップＳ１２に移行して画面の焼き付きを生じる可能性がないと判定し、輝度制御を行わずに（輝度補正部２に制御データを送信せずに）再びステップＳ１以降の処理を繰り返す。
【０１２３】
また、上記第１乃至第４の条件のうちの何れか１つでも成立しないと判定した場合には（ステップＳ１乃至Ｓ４の何れかのＮＯ）、すなわち、上記の条件Ｄに当てはまらない場合には、ステップＳ８に移行する。
【０１２４】
ステップＳ８では、「（１）黒レベルの画素数＞第４のしきい値ｄ」という第５の条件が成立するか否かを判定する。
【０１２５】
第５の条件が成立すると判定した場合（ステップＳ８のＹＥＳ）、ステップＳ９に移行し、「（４）白レベルのうち特定のレベルの画素数＞第５のしきい値ｅ」という第７の条件が成立するか否かを判定する。
【０１２６】
第７の条件が成立すると判定した場合（ステップＳ９のＹＥＳ）、すなわち、第５の条件及び第７の条件が共に成立すると判定した場合、ステップＳ５に移行する。ステップＳ５以降の処理は、上記と同様である。
【０１２７】
他方、上記のステップＳ９にて、第７の条件が成立しないと判定した場合（ステップＳ９のＮＯ）、ステップＳ１１に移行し、タイマーのカウント値をリセットして（「０」にして）、ステップＳ１２に移行して画面の焼き付きを生じる可能性がないと判定し、輝度制御を行わずに再びステップＳ１以降の処理を繰り返す。
【０１２８】
また、上記ステップＳ８にて、第５の条件が成立しないと判定した場合（ステップＳ８のＮＯ）、ステップＳ１０に移行し、「（２）中間レベルの画素数＞第４のしきい値ｄ」という第６の条件が成立するか否かを判定する。
【０１２９】
第６の条件が成立すると判定した場合（ステップＳ１０のＹＥＳ）、ステップＳ９に移行し、「（４）白レベルのうち特定のレベルの画素数＞第５のしきい値ｅ」という第７の条件が成立するか否かを判定する。
【０１３０】
第７の条件が成立すると判定した場合（ステップＳ９のＹＥＳ）、すなわち、第６の条件及び第７の条件が共に成立すると判定した場合、ステップＳ５に移行する。ステップＳ５以降の処理は、上記と同様である。
【０１３１】
また、上記のステップＳ１０にて、第６の条件が成立しないと判定した場合（ステップＳ１０のＮＯ）、ステップＳ１１に移行し、該ステップＳ１１以降の処理を上記と同様に行う。
【０１３２】
なお、上記ステップＳ８〜Ｓ１０は、上記の条件Ｅに当てはまるか否かを判定する過程である。
【０１３３】
以上のように、第１の実施形態によれば、画像に含まれる画素の輝度レベル毎の統計分布を入力画像信号に基づき検出するヒストグラム検出部１と、ヒストグラム検出部１により検出された統計分布に応じて入力画像信号の輝度レベルを補正する輝度補正手段としてのマイコン４及び輝度補正部２と、を備えるので、従来よりも好適に焼付きを軽減することができるとともに、画質を向上させることができる。
【０１３４】
すなわち、具体的には、例えば、ヒストグラム検出部１により（１）〜（３）の各輝度レベルの割合を検出することができ、例えば（３）の白レベルの割合が多い場合などに輝度を補正することができる。また、例えば時計表示など、画面のほとんどの画素が黒レベルであり、白レベルの画素が少ししかない画像の表示時にも、それを検出し、輝度を補正することができる。
【０１３５】
特に、ヒストグラム検出部１により、輝度レベル分布をヒストグラムとして表すことができるため、好適に輝度の補正を行うことができる。
【０１３６】
また、このように輝度の補正を行うことにより、消費電力を抑制できるという副次的効果も得られる。
【０１３７】
＜変形例＞
図１１は第１の実施形態の変形例に係る表示装置１５０の構成を示すブロック図である。
【０１３８】
図１１に示す表示装置１５０は、タイマー５を更に備える点でのみ上記の第１の実施形態に係る表示装置１００と異なり、その他の点では表示装置１００と同様に構成されているため、表示装置１５０において、表示装置１００と同様の構成要素には同一の符号を付し、その説明を省略する。
【０１３９】
上記の第１の実施形態では、マイコン４にてカウント値を加算することにより上記所定時間αを計数する例を示したが、例えば、図１１に示す表示装置１５０のように、計時動作を行い、その計時データをマイコン４に与えるタイマー５（タイマーＩＣ）を更に備えるものとし、タイマー５からの計時データに基づいて、マイコン４が上記所定時間αの経過監視を行うようにしても良い。この場合、マイコン４、タイマー５及び輝度補正部２により、輝度補正手段が構成される。
【０１４０】
〔第２の実施形態〕
上記の第１の実施形態では、一表示画面の全体について輝度レベル分布を検出し、輝度レベルの補正を行う例について説明したが、第２の実施形態では、一表示画面の一部の表示領域について輝度レベル分布を検出し、該表示領域における輝度レベルの補正を行う例について説明する。
【０１４１】
図１２及び図１３は第２の実施形態の場合の動作を説明するための図であり、このうち図１２（ａ）は画面に表示される画像の一例を示し、図１２（ｂ）は画像が図１２（ａ）である場合のヒストグラム化された輝度レベル分布を示す。また、図１３（ａ）は画面に表示される画像の他の一例を示し、図１３（ｂ）は画像が図１３（ａ）である場合のヒストグラム化された輝度レベル分布を示す。
【０１４２】
なお、第２の実施形態の場合も、表示装置１００の構成は、上記の第１の実施形態と同様である。
【０１４３】
例えば、時計表示やチャンネル表示は、画面の隅（例えば、右上の隅）において行われることが多い。
【０１４４】
そこで、本実施形態においては、ヒストグラム検出部１は、図１２及び図１３に示すように、表示画像の一部（例えば、右上の隅）の表示領域Ｒについてのみ、輝度レベル分布を検出する。
【０１４５】
また、本実施形態の場合、マイコン４は、例えば、「白レベルに含まれる輝度レベルのうち、特定の輝度レベルの画素数のみが第５のしきい値ｅ以上である」という条件Ｆを満たすか否かを判定し、満たすと判定した場合に、輝度レベルの補正を行う。これにより、画面の角にある時計表示、チャンネル表示などを検知しやすくなり、このような場合における焼付きを防止すべく輝度レベルを補正することができる。
【０１４６】
図１２（ａ）に例示するように、画面の右上の隅にて白レベルで時間表示がなされているため、画面の焼付きが生じる可能性が高いと考えられる。このような場合、図１２（ｂ）に示すように、上記条件Ｆを満たすため、輝度レベルの補正がなされる。
【０１４７】
他方、図１３（ａ）に例示するように、画面の左側から右側に欠けて暗い画面から明るい画面へと次第に変化しているような画像表示の場合、画面の焼付きが生じる可能性が低いと考えられる。このような場合、図１３（ｂ）に示すように、白レベルに含まれる輝度レベルのうち、特定の輝度レベルの画素数だけでなく、白レベルに含まれるその他の輝度レベルの画素数も第５のしきい値ｅ以上であるため、上記条件Ｆを満たさず、輝度レベルの補正は行わない。
【０１４８】
以上のように、第２の実施形態によれば、一表示画面の一部の表示領域Ｒを指定し、該表示領域Ｒについて輝度レベル分布を検出し、該表示領域Ｒにおける輝度レベルの補正を行うので、例えば、時計表示、チャンネル表示による焼付きを好適に軽減することができる。
【０１４９】
なお、上記の第２の実施形態では、白レベルに含まれる輝度レベルのうち、特定の輝度レベルの画素数のみが第５のしきい値ｅ以上である場合に補正を行い、図１３に示すように、特定の輝度レベルの画素数だけでなく、白レベルに含まれるその他の輝度レベルの画素数も第５のしきい値ｅ以上である場合には、補正を行わない例について説明したが、単に、「白レベルに含まれる輝度レベルのうち、特定の輝度レベルの画素数が第５のしきい値ｅ以上である場合」に何れの場合にも補正を行うものとし、図１２に示すような場合だけでなく、図１３に示すような場合にも補正を行うようにしても良い。
【０１５０】
〔第３の実施形態〕
図１４は第３の実施形態に係る表示装置３００の構成を示すブロック図である。
【０１５１】
上記の各実施形態では、ヒストグラム検出部１を１つのみ備える例について説明したが、第３の実施形態では、図１４に示すように、複数のヒストグラム検出部１、１Ａを備える例について説明する。
【０１５２】
なお、第３の実施形態に係る表示装置３００は、以下に説明する点でのみ上記の第１の実施形態に係る表示装置１００と異なり、その他の点では第１の実施形態に係る表示装置１００と同様に構成されているため、第３の実施形態に係る表示装置３００において、表示装置１００と同様の構成要素には同一の符号を付し、その説明を省略する。
【０１５３】
すなわち、本実施形態の場合、例えば、図１４に示すように、前段のヒストグラム検出部（第１の輝度レベル分布検出手段）１は、一表示画面の全体について輝度レベル分布を検出し、後段のヒストグラム検出部１Ａ（第２の輝度レベル分布検出手段）は、一表示画面の一部の表示領域Ｒ（図１２参照）について輝度レベル分布を検出する。
【０１５４】
また、マイコン４は、ヒストグラム検出部１、１Ａのうちの何れかにより検出された輝度レベル分布が、上記の条件（例えば、条件Ｄ、Ｅ、Ｆ）の何れかを満たす場合に、輝度補正部２に制御データを送信し、輝度レベルの補正を行わせる。
【０１５５】
以上のように、第３の実施形態によれば、ヒストグラム検出可能なＩＣ（ヒストグラム検出部１、１Ａ）を２つ用いることにより、表示画像の一部分によるヒストグラム検出と表示画像全体によるヒストグラム検出を同時に行うことで、表示画像の各輝度レベルの位置情報を把握することも可能である。
【０１５６】
なお、上記の第３の実施形態では、２つのヒストグラム検出部１、１Ａを備える例について説明したが、本発明はこれに限らず、ヒストグラム検出部を３つ以上備えることとし、それぞれ相互に異なる複数の表示領域（ただし、相互に重複部分は存在しても良い）について、輝度レベル分布を検出するようにしても良い。また、このように相互に異なる複数の表示領域についての輝度レベル分布検出を、１つのヒストグラム検出部により行うようにしても良い。
【０１５７】
〔第４の実施形態〕
図１５は第４の実施形態に係る表示装置４００の構成を示すブロック図である。
【０１５８】
上記の各実施形態では、ヒストグラム検出部１が予め定められた１つの表示領域についてのみ輝度レベル分布を検出する例について説明したが、第４の実施形態では、統計分布の検出対象となる表示領域を順次変更する例について説明する。
【０１５９】
なお、第４の実施形態に係る表示装置４００は、以下に説明する点でのみ上記の第１の実施形態の変形例に係る表示装置１５０（図１１）と異なり、その他の点では表示装置１５０と同様に構成されているため、第４の実施形態に係る表示装置４００において、表示装置１５０と同様の構成要素には同一の符号を付し、その説明を省略する。
【０１６０】
すなわち、本実施形態の場合、例えば図１５に示すように、表示装置４００は、画像において輝度レベル分布を検出すべき表示領域を指定する表示領域指定データを記憶する記憶部６を備え、ヒストグラム検出部１は、記憶部６から表示領域指定データを読み出し、該表示領域指定データにより指定される表示領域について輝度レベル分布を検出する。また、マイコン４は、記憶部６の表示領域指定データを順次書き換えることによって、ヒストグラム検出部１による輝度レベル分布の検出対象となる表示領域を順次変更する。
【０１６１】
なお、本実施形態の場合、マイコン４及び記憶部６により検出領域変更手段が構成され、このうちマイコン４は指定データ書換手段を、記憶部６は記憶手段を、構成している。
【０１６２】
次に、図１６のフローチャートを参照して、本実施形態の場合の動作を説明する。
【０１６３】
マイコン４は、先ず、輝度レベル分布の検出対象となる表示領域として、例えば、表示画面の全体を指定する（ステップＳ１１）。すなわち、記憶部６の表示領域指定データを、表示画面の全体を指定する内容とする。
【０１６４】
すると、ヒストグラム検出部１は、記憶部６から表示領域指定データを読み出し、該読み出した表示領域指定データにより指定される表示領域、すなわち表示画面の全体について、輝度レベル分布を検出し、該検出結果をマイコン４に送信する。
【０１６５】
すると、マイコン４は、ヒストグラム検出部１により検出された輝度レベル分布が、上記の条件（例えば、条件Ｄ、Ｅ、Ｆ）の何れかを満たす状態が上記所定時間α以上継続するという条件Ｇを満たすか否かを判定する（ステップＳ１２）。
【０１６６】
そして、マイコン４は、条件Ｇを満たすと判定した場合（ステップＳ１２のＹＥＳ）、輝度補正部２に制御データを送信し、輝度レベルの補正を行わせる（ステップＳ１３）。
【０１６７】
また、上記のステップＳ１２にて条件Ｇを満たさないと判定した場合（ステップＳ１２のＮＯ）、或いは、輝度レベルの補正（ステップＳ１３）後、マイコン４は、輝度レベル分布の検出対象となる表示領域を、画面全体を２分割したそれぞれの表示領域とすべく、記憶部６の表示領域指定データを書き換える（ステップＳ１４）。
【０１６８】
すると、ヒストグラム検出部１は、表示領域指定データにより指定される表示領域、すなわち画面全体を２分割したそれぞれの表示領域について輝度レベル分布を検出し、該検出結果をマイコン４に送信する。
【０１６９】
すると、マイコン４は、２分割した何れかの表示領域において上記条件Ｇを満たすか否かを判定する（ステップＳ１５）。
【０１７０】
そして、マイコン４は、条件Ｇを満たすと判定した場合（ステップＳ１５のＹＥＳ）、輝度補正部２に制御データを送信し、２分割された表示領域のうちの条件Ｇを満たす表示領域における輝度レベルの補正を行わせる（ステップＳ１６）。
【０１７１】
また、上記のステップＳ１５にて、２分割された何れの表示領域においても条件Ｇを満たさないと判定した場合（ステップＳ１５のＮＯ）、或いは、輝度レベルの補正（ステップＳ１６）後、マイコン４は、輝度レベル分布の検出対象となる表示領域を、画面全体を４分割したそれぞれの表示領域とすべく、記憶部６の表示領域指定データを書き換える（ステップＳ１７）。
【０１７２】
すると、ヒストグラム検出部１は、画面全体を４分割したそれぞれの表示領域について輝度レベル分布を検出し、該検出結果をマイコン４に送信する。
【０１７３】
すると、マイコン４は、４分割した何れかの表示領域において上記条件Ｇを満たすか否かを判定し（ステップＳ１８）、満たす場合（ステップＳ１８のＹＥＳ）、輝度補正部２に制御データを送信し、条件を満たす表示領域における輝度レベルの補正を行わせる（ステップＳ１９）。
【０１７４】
また、上記のステップＳ１８にて、４分割された何れの表示領域においても条件Ｇを満たさなかった場合（ステップＳ１８のＮＯ）、或いは、輝度レベルの補正（ステップＳ１９）後、マイコン４は、再び、輝度レベル分布の検出対象となる表示領域を画面全体に戻す（ステップＳ１１からの繰り返し）。
【０１７５】
以後は、上記と同様に、輝度レベル分布の検出対象となる表示領域の設定を、画面全体→画面全体を２分割したそれぞれの表示領域→画面全体を４分割したそれぞれの表示領域→画面全体の順に繰り返し行う。
【０１７６】
以上のように、第４の実施形態によれば、ヒストグラム検出部１による輝度レベル分布の検出対象となる表示領域を順次変更するので、焼きつきを生じやすい条件を満たす画像が、表示画面における何れの表示領域に表示される場合であっても、そのことを検出し、輝度を補正することができる。
【０１７７】
なお、上記の第４の実施形態では、輝度レベル分布を検出する工程として、画面全体について検出する工程、画面全体を２分割したそれぞれの表示領域について検出する工程、及び、画面全体を４分割したそれぞれの表示領域について検出する工程を行う例を説明したが、さらに、画面全体を８分割したそれぞれの表示領域について検出する工程、画面全体を１６分割したそれぞれの表示領域について検出する工程、・・・、を順次行うようにしても良い。
【０１７８】
また、上記の第４の実施形態では、複数分割（２分割、４分割）したそれぞれの表示領域についての輝度レベル分布検出を並行して行う例について説明したが、複数分割（２分割、４分割）したそれぞれの表示領域についての輝度レベル分布検出は、順次行うようにしても良い。すなわち、例えば、２分割された第１及び第２の表示領域の表示領域を検出対象とした際において、先ず、第１の表示領域の輝度レベル分布を検出し、次に、第２の輝度レベル分布を検出することが可能である。
【０１７９】
また、上記の各実施形態では、輝度レベル分布をヒストグラム化して検出する例を説明したが、要は輝度レベルの統計分布を認識可能であれば良く、その他の統計グラフ化して検出することとしても良い。
【０１８０】
〔第５の実施形態〕
図１７及び図１８は第５の実施形態の場合の輝度補正部２による補正を説明するための図であり、このうち図１７（ａ）は白レベルの表示領域Ｒ１の周囲の表示領域Ｒ２が全黒（表示領域Ｒ２内の全ての画素の輝度レベルが０階調）である場合の画面表示を示す図、図１７（ｂ）は白レベルの表示領域Ｒ１の周囲の表示領域Ｒ２が全白（表示領域Ｒ２内の全ての画素の輝度レベルが２５５階調）である場合の画面表示を示す図、図１８は第５の実施形態の場合の輝度レベル補正に用いられる補正曲線の一例（曲線Ｌ２）を示す図である。
【０１８１】
上記の各実施形態では、マイコン４により補正が必要と判定された場合の輝度補正部２による補正として、例えば、白レベルの画素や、白レベルの画素のうち特定の画素の輝度レベルを、その周囲の画素の輝度レベル分布の態様にかかわらず、一定の割合だけ低下させる（例えば、７０％や５０％にする（３０％や５０％だけ低下させる））ことにより行う例を説明した。
【０１８２】
しかし、一般的に、白レベルの画素の表示は、その周囲の画素の輝度レベル分布が、全黒に近い（平均映像レベル；ＡＰＬが小さい）ほど高輝度とする一方で、全白に近い（ＡＰＬが大きい）ほど低輝度とするような制御の下で行っている。これは、このような方法で輝度補正を実施しないと、ビデオ信号のＡＰＬが小さくなる暗い画面では、コントラスト比が低下し表示画質が劣化してしまい、また、表示装置（例えばＰＤＰ）では、ＡＰＬの大きいときと小さいときの消費電力の差が大きく、電源の負担が大きくなるという問題点が生じるためである。
【０１８３】
このような問題点を解消するために、例えば、図１７（ａ）に示すように白レベルの表示領域Ｒ１の周囲の表示領域が全黒である場合と、図１７（ｂ）に示すように白レベルの表示領域Ｒ１の周囲の表示領域Ｒ２が全白である場合とでは、同じレベルの白レベルの表示であっても、前者の方をより高輝度で表示する制御を通常は行う。
【０１８４】
つまり、通常は、例えば図１８に示す曲線Ｌ１に従って、白レベルの画素の輝度レベルを制御する。
【０１８５】
しかしながら、このような制御を行うと、例えば、図１７（ａ）に示すような輝度レベル分布の状態や、これに近い輝度レベル分布の状態では、画面の焼き付きが発生しやすいという問題がある。
【０１８６】
そこで、第５の実施形態では、マイコン４により補正が必要と判定された場合の輝度補正部２による補正として、白レベルの画素の輝度レベルを、その周囲の画素の輝度レベル分布が低輝度のレベル分布となっているほど、大きい割合で低下させるような補正を行う。
【０１８７】
すなわち、輝度補正部２は、具体的には、例えば、図１８に示す曲線Ｌ２に従って白レベルの画素の輝度レベルを制御することとなるような補正を、マイコン４の制御下で行う。
【０１８８】
これにより、例えば、図１７（ａ）に示すように、白レベルの表示領域Ｒ１の周囲の表示領域Ｒ２が全黒であるような輝度レベル分布状態や、これに近い輝度レベル分布状態であっても、画面の焼き付きを発生しにくくすることができる。
【０１８９】
以上のような第５の実施形態によれば、輝度補正部２は、補正の対象となる画素の輝度レベルを、その周囲の画素の輝度レベルが低ければ低いほど大きい割合で低下させることによって、補正を行うので、上記の各実施形態よりも好適に焼付きを軽減することができる。
【０１９０】
〔第６の実施形態〕
図１９は第６の実施形態に係る表示装置６００の構成を示すブロック図である。
【０１９１】
図１９に示す表示装置６００は、以下に説明する点でのみ上記の第１の実施形態に係る表示装置１００と異なり、その他の点では表示装置１００と同様に構成されているため、表示装置６００において、表示装置１００と同様の構成要素には同一の符号を付し、その説明を省略する。
【０１９２】
上記の各実施形態では、画像信号に対する輝度レベルの補正を行う例を説明したが、第６の実施形態に係る表示装置６００は、画像信号に対する輝度レベルの補正と、画像信号に対する非線形処理と、のうちのいずれか一方を択一的に行う。
【０１９３】
そのような動作を実現するため、表示装置６００の焼付き軽減部１０は、図１９に示すように、上記の第１の実施形態に係る表示装置１００における焼き付き軽減部１０の各構成要素に加えて、画像を複数部分に分割する画像分割部（画像分割手段）３０と、分割された各々の画像に対してそれぞれ個別に非線形処理の一例としてのガンマ処理を施すガンマ処理部（非線形処理手段）４０と、ガンマ処理後の画像を合成する画像合成部（画像合成手段）５０と、合成される画像間の境界部を平滑化するための２次元ローパスフィルタ（境界部画像処理手段）６０と、輝度補正部２による輝度レベルの補正がなされた画像信号を表示用に出力する第１の動作モードと、画像分割部３０、ガンマ処理部４０、２次元ローパスフィルタ６０及び画像合成部５０による画像処理がなされた画像信号を表示用に出力する第２の動作モードと、を切り替える切替部７と、を更に備えて構成されている。
【０１９４】
このうち切替部７は、例えば、マイコン４の制御下で、第１の動作モードと第２の動作モードとのうちのいずれか一方の動作モードへの切り替えを行う。マイコン４は、例えば、図示しない操作部に対するユーザの操作に応じて、切替部７に対し制御信号を出力し、第１の動作モード又は第２の動作モードへの切り替えを該切替部７に行わせる。すなわち、マイコン４及び切替部７により、動作モード選択手段が構成されている。
【０１９５】
切替部７には、焼付き軽減部１０への入力画像信号が入力される。切替部７は、動作モードを第１の動作モードに切り替えているときには入力画像信号をヒストグラム検出部１に対して出力する一方で、動作モードを第２の動作モードに切り替えているときには入力画像信号を画像分割部３０に対して出力する。
【０１９６】
本実施形態の場合、マイコン４は、第１の動作モードの場合には、上記の第１の実施形態の場合と同様に動作する。
【０１９７】
他方、第２の動作モードの場合には、マイコン４は、ヒストグラム検出部１により検出された統計分布に関するデータに基づいて、ガンマ処理部４０、画像合成部５０及び２次元ローパスフィルタ６０の動作制御を行う。
【０１９８】
以下、第２の動作モードの場合に機能する各構成要素について、詳細に説明する。
【０１９９】
画像分割部３０は、選択部７を介して入力される一の画像信号により表示すべき画像を複数部分に分割する。
【０２００】
本実施形態の場合、画像分割部３０は、具体的には、例えば、画像を第１分割画像Ｇ１及び第２分割画像Ｇ２の２つの部分に分割する。
【０２０１】
本実施形態の場合、例えば、それら第１及び第２分割画像Ｇ１、Ｇ２の相互の境界線Ｋは、予め設定され、画像分割部３０は、その予め設定された境界線Ｋを境として、元々一つの画像を第１及び第２の２つの分割画像に分割するように構成されている。境界線Ｋは、例えば、図１９に示すように矩形状のものであることが挙げられる。
【０２０２】
ここで、例えばテレビ画像における時計表示は、選択したチャンネルに関わらず、ほぼ同じ位置（表示領域）で行われることが多い。
【０２０３】
そこで、本実施形態の場合、画像分割部３０は、具体的には、例えば、表示部２０の表示画面２１において時計表示がなされる可能性が高い表示領域（例えば、画面の右側上部）の画像（第１分割画像Ｇ１）と、それ以外の表示領域の画像（第２分割画像Ｇ２）と、に画像を分割するものとする。
【０２０４】
そして、画像分割部３０は、分割したうちの一方の画像（第１分割画像Ｇ１）に対応する画像信号を第１ガンマ処理部４１（後述）並びにヒストグラム検出部１に対してそれぞれ出力する。
【０２０５】
また、画像分割部３０は、分割したうちの他方の画像（第２分割画像Ｇ２）に対応する画像信号を第２ガンマ処理部４２（後述）に対して出力する。
【０２０６】
加えて、画像分割部３０は、分割した２つの画像相互間の境界部の画像（境界部画像Ｇ３）に対応する画像信号を２次元ローパスフィルタ６０に対して出力する。
【０２０７】
ここで、境界部画像Ｇ３は、第１分割画像Ｇ１と第２分割画像Ｇ２との境界線Ｋを含む所定面積の画像であり、例えば、図１９に網掛けで示すように、互いに相似形且つ互いに中心が等しい２つの矩形に挟まれた領域の画像である。
【０２０８】
ガンマ処理部４０は、第１分割画像Ｇ１に対応する画像信号に対してガンマ処理を施す第１ガンマ処理部４１と、第２分割画像Ｇ２に対応する画像信号に対してガンマ処理を施す第２ガンマ処理部４２と、を備えている。
【０２０９】
第１ガンマ処理部４１及び第２ガンマ処理部４２は、マイコン４の制御下で、それぞれ独自にガンマカーブを選択して、画像信号に対してガンマ処理を施す。
【０２１０】
すなわち、例えば、後述するように、ヒストグラム検出部１による検出結果に基づいて、第１分割画像Ｇ１の表示領域に画面の焼き付きが生じる可能性があると判定された場合には、マイコン４は、第１ガンマ処理部４１と第２ガンマ処理部４２に対して制御信号を出力し、画面の焼き付きが生じにくいようなガンマカーブを選択させる。
【０２１１】
なお、第１ガンマ処理部４１及び第２ガンマ処理部４２は、予め選択候補として設定されている複数種類のガンマカーブの中から、それぞれ最適なガンマカーブを一つ選択して、画像信号に対してガンマ処理を施す。
【０２１２】
第１及び第２ガンマ処理部４１，４２は、それぞれガンマ処理を施した画像信号を画像合成部５０に対して出力する。
【０２１３】
また、２次元ローパスフィルタ６０は、第１分割画像Ｇ１と第２分割画像Ｇ２との境界部の画像、つまり境界部画像Ｇ３のうち、マイコン４により指定される表示領域（範囲）の画像に対し、該画像を平滑化する処理（平滑化処理）を行って、該画像をぼかして目立ちにくいようにする。
【０２１４】
すなわち、２次元ローパスフィルタ６０は、境界部画像Ｇ３のうちマイコン４により指定される表示領域の画像に含まれる各画素において、表示位置が第１分割画像Ｇ１に近い部分から第２分割画像Ｇ２に近い部分にかけて、徐々にその表示色並びに表示輝度を変化させ、該画像を鈍らせる。
【０２１５】
より具体的には、例えば、第１分割画像Ｇ１における表示が（時計表示などのため）白っぽく高輝度であり、第２分割画像Ｇ２における表示が暗く低輝度である場合には、第２分割画像Ｇ２側から第１分割画像Ｇ１側に近づくにつれて徐々に明るく高輝度の画像へと変化させるように、２次元ローパスフィルタ６０はフィルタ処理を行う。
【０２１６】
２次元ローパスフィルタ６０は、このような平滑化処理後の画像信号を画像合成部５０に対して出力する。
【０２１７】
画像合成部５０は、第１ガンマ処理部４１、第２ガンマ処理部４２及び２次元ローパスフィルタ６０から出力される画像信号を１つの画像信号に合成する。
【０２１８】
ここで、第１分割画像Ｇ１には、境界部画像Ｇ３と相互に重複する部分（境界部画像Ｇ３の全体と重なる部分）が存在し、同様に、第２分割画像Ｇ２にも相互に重複部分（こちらも境界部画像Ｇ３の全体と重なる部分）が存在する。
【０２１９】
そこで、画像合成部５０は、それら重複部分については、２次元ローパスフィルタ６０から出力される画像信号（境界部画像Ｇ３）により、第１及び第２ガンマ処理部４１、４２から出力される画像信号（第１分割画像Ｇ１、第２分割画像Ｇ２）をそれぞれ上書きする。つまり、第１分割画像Ｇ１、第２分割画像Ｇ２における各重複部分は、それぞれ境界部画像Ｇ３に置き換えられる。
【０２２０】
また、ここで、マイコン４は、２次元ローパスフィルタ６０による平滑化処理結果を画像に反映させるか否かを、ヒストグラム検出部１による検出結果に応じて決定し、平滑化処理結果を画像に反映させるか否かの指令信号を画像合成部５０に対して出力するようになっている。
【０２２１】
すなわち、例えば、マイコン４は、ヒストグラム検出部１による検出結果に基づき、画面の焼き付きを生じる可能性がないと判定した場合には、２次元ローパスフィルタ６０による平滑化処理結果を画像に反映させないような指令信号を画像合成部５０に出力する。この場合、画像合成部５０は、２次元ローパスフィルタ６０から出力される画像信号（境界部画像Ｇ３）は合成せず、第１及び第２ガンマ処理部４１、４２から出力される画像信号（第１分割画像Ｇ１、第２分割画像Ｇ２）のみを合成する。
【０２２２】
他方、ヒストグラム検出部１による検出結果に基づき、画面の焼き付きを生じる可能性があると判定した場合には、マイコン４は、２次元ローパスフィルタ６０による平滑化処理結果を画像に反映させるような指令信号を画像合成部５０に出力する。この場合、画像合成部５０は、第１ガンマ処理部４１、第２ガンマ処理部４２及び２次元ローパスフィルタ６０から出力される３つの画像信号を１つの画像信号に合成する。
【０２２３】
次に、ヒストグラム検出部１は、本実施形態の場合の第２の動作モードのときには、例えば、第１分割画像Ｇ１について、該画像に含まれる画素の輝度レベル毎の統計分布（以下、輝度レベル分布）を検出する。
【０２２４】
ヒストグラム検出部１による検出動作は、上記の各実施形態と同様である。
【０２２５】
ヒストグラム検出部１は、このように検出した輝度レベル分布のデータ（輝度レベル分布データ）を、マイコン４に対して出力する。
【０２２６】
マイコン４は、ヒストグラム検出部１からの輝度レベル分布データに応じて、第１分割画像Ｇ１の表示領域に画面の焼付きが生じる可能性の有無を判定する。
【０２２７】
本実施形態も、マイコン４による判定動作は、上記の各実施形態におけるマイコン４による判定動作と同様である。
【０２２８】
また、本実施形態の場合の第２の動作モードのときには、マイコン４は、このような判定動作により、画面の焼き付きが生じる可能性があると判定した場合、焼き付きの発生を低減すべく、第１ガンマ処理部４１、第２ガンマ処理部４２、２次元ローパスフィルタ６０及び画像合成部５０に対してそれぞれ制御データを出力する。
【０２２９】
すなわち、マイコン４は、画面の焼き付きが生じる可能性があると判定した場合、焼き付きの発生を低減できるように、画像における各画素の明暗の差が小さくなるようなガンマカーブを第１ガンマ処理部４１に選択させる。つまり、ガンマ処理に用いるガンマカーブを、それまで選択していたガンマカーブ（例えば標準的なガンマカーブ）から、別のガンマカーブへと変更させる。
【０２３０】
なお、第２ガンマ処理部４２に対しては、例えば、標準的なガンマカーブを選択させるようにしても良いし、或いは、第２分割画像Ｇ２の明るさを第１分割画像Ｇ１の明るさに近づけるようなガンマカーブを選択させるようにしても良い。つまり、第２分割画像Ｇ２と第１分割画像Ｇ１との輝度レベル分布の較差を低減させるようにしても良い。
【０２３１】
また、マイコン４は、境界部画像Ｇ３のうち平滑化処理を施すべき範囲を指定する信号を、２次元ローパスフィルタ６０に対して出力する。ここで、例えば、ヒストグラム検出部１による検出結果に基づき、第１分割画像Ｇ１が極端に明るいと判定されるような場合には、境界部画像Ｇ３のうち平滑化処理を施すべき範囲を拡大させる旨を指令する信号を出力する一方で、画面の焼き付きが生じる可能性は高いものの、第１分割画像Ｇ１が比較的暗めであると判定されるような場合には、境界部画像Ｇ３のうち平滑化処理を施すべき範囲を縮小させる旨を指令する信号を出力する。
【０２３２】
更に、マイコン４は、２次元ローパスフィルタ６０による平滑化処理結果を画像に反映させる旨を画像合成部５０に対して指令する。
【０２３３】
従って、画面の焼き付きが生じる可能性がある場合には、第１分割画像Ｇ１の表示領域における画像の焼き付きが低減されるとともに、第１分割画像Ｇ１と第２分割画像Ｇ２との境界部（境界部画像Ｇ３）に対して平滑化処理が施された画像が表示画面２１に表示される。
【０２３４】
他方、上記の判定により、画面の焼き付きが生じる可能性がないと判定した場合、マイコン４は、第１及び第２ガンマ処理部４１，４２に対して、共に標準的なガンマカーブを用いたガンマ処理を行わせるとともに、画像合成部５０に対しては２次元ローパスフィルタ６０による平滑化処理結果を画像に反映させないような指令信号を出力する。
【０２３５】
従って、画面の焼き付きが生じる可能性がない場合には、第１及び第２分割画像Ｇ１、Ｇ２を共に標準的なガンマカーブによりガンマ処理して表示するとともに、２次元ローパスフィルタ６０により平滑化処理された境界部画像Ｇ３は合成せずに、第１及び第２分割画像Ｇ１、Ｇ２のみを合成して表示する。
【０２３６】
以上のような第６の実施形態によれば、焼付き軽減部１０は、第１の動作モードと第２の動作モードとを切り替える切替部７と、第２の動作モードの場合に、入力される一の画像信号により表示すべき画像を２つに分割する画像分割部３０と、第２の動作モードの場合に、画像分割部３０による分割後の２つの画像を１つに合成する画像合成部５０と、第２の動作モードの場合に、画像分割部３０による分割後、且つ、画像合成部５０による合成前の２つの画像の各々に対してそれぞれ個別にガンマ処理を施すガンマ処理部４０と、を備えているので、第２の動作モードのときに、入力される一の画像信号により表示すべき画像の一部（第１分割画像Ｇ１）が画面の焼き付きが生じやすいような画像である場合に、その画像の一部に対してのみ該画像における明暗の差を小さくさせるようなガンマ処理を施す一方で、画像のそれ以外の部分（第２分割画像Ｇ２）には通常の明るさとなるようなガンマ処理を施すことができる。よって、例えば、表示画面における焼き付きの発生を好適に低減させることができる。
【０２３７】
なお、第１の動作モードのときには、上記の第１の実施形態と同様に機能するので、第１の実施形態と同様の効果を奏する。
【０２３８】
ここで、高輝度の画像表示は高い消費電力を伴うが、上記のように画面の焼き付きが生じやすいような画像である場合に、その画像における明暗の差を小さくさせるようなガンマ処理を施すことにより、表示画像の輝度を低下させて消費電力も低減させることができる。
【０２３９】
また、焼付き軽減部１０のヒストグラム検出部１は、画像分割部３０により分割された画像のうちの１つの画像（第１分割画像Ｇ１）について、該画像に含まれる画素の輝度レベル毎の統計分布を検出し、ガンマ処理部４０は、ヒストグラム検出部１により検出された統計分布に応じて、画像に対してガンマ処理を施すので、分割された画像の各々に対して、それぞれ最適なガンマ処理を自動的に行うことができる。
【０２４０】
より具体的には、ヒストグラム検出部１は、輝度レベル毎の画素数の統計分布を検出し、マイコン４は、該検出された統計分布に基づき画面の焼き付きの発生可能性の有無を判定し、ガンマ処理部４０は、該判定結果に応じて画像に対してガンマ処理を施すので、分割された画像の各々に対して、それぞれ最適なガンマ処理を自動的に行うことができる。
【０２４１】
更に、焼付き軽減部１０は、画像分割手段により分割された複数の画像相互間の境界部の画像（境界部画像Ｇ３）を平滑化する処理を行う２次元ローパスフィルタ６０を備えるので、境界部画像Ｇ３をなまらせることができる。よって、境界部画像Ｇ３が顕在化してしまうことを抑制でき、第１分割画像Ｇ１と第２分割画像Ｇ２とを滑らかにつなぐことができるため、境界部画像Ｇ３の表示領域での画面の焼き付きの発生を好適に低減させることができる。
【０２４２】
また、境界部画像Ｇ３のうち、平滑化処理を施す画像の範囲を拡大させたり縮小させたりすることにより、適当な範囲の画像に対して平滑化処理を施すことができ、例えば、平滑化処理の範囲が広すぎるためにかえって画質が低下してしまうことや、平滑化処理の範囲が狭すぎるために画像の境界線が顕在化したままとなってしまうことを抑制できる。
【０２４３】
更に、平滑化処理の結果を表示画像に反映させるか否かの制御も行うことができるため、平滑化処理が必要な場合にのみ、該平滑化処理の結果を表示画像に反映させることができる。
【０２４４】
なお、上記の第６の実施形態では、上記の第１の実施形態の構造を一部変更した例を説明したが、同様の変更は、上記の第２乃至第５のいずれの実施形態に対しても同様に適用可能である。
【０２４５】
また、上記の第６の実施形態では、画像分割部３０により分割された画像の各々に対してガンマ処理部４０にて個別にそれぞれ最適なガンマ処理を施す例を説明したが、画像分割部３０により分割された画像のうちの少なくとも何れか１つに対してガンマ処理部４０にて最適なガンマ処理を施すようにしても良い。すなわち、例えば、焼付き軽減部１０に入力される元々の画像信号に対して既に一括して標準的なガンマ処理が施されているような場合には、ガンマ処理部４０では、例えば、第１分割画像Ｇ１に対してのみ個別のガンマ処理を施して、画面の焼き付きの低減などを行うようにしても良い。
【０２４６】
また、上記の第６の実施形態では、第１分割画像Ｇ１を表示画面２１における右上の領域に設定した例を示したが、第１分割画像Ｇ１の領域の設定は目的に応じて任意に変更しても良い。すなわち、第１の実施形態の場合には、時計表示やチャンネル表示などの有無を検出するために、第１分割画像Ｇ１を表示画面２１における右上の領域に設定したが、例えば、映画などにおける字幕の有無を検出する場合には、第１分割画像Ｇ１を表示画面２１における下部の領域に設定すれば良い。また、境界線Ｋ１を矩形状に設定した例を説明したが、該境界線Ｋ１の形状も目的に応じて任意に変更して良い。
【０２４７】
更に、上記の第６の実施形態では、焼き付きが発生すると判定された場合に、画像合成部５０において各画像を構成するに際して、第１分割画像Ｇ１と第２分割画像Ｇ２をそれぞれ第３分割画像Ｇ３により上書きする例を説明したが、第１分割画像Ｇ１と第３分割画像Ｇ３との重複部分についてはこれら両画像Ｇ１、Ｇ３を平均化した画像を表示し、同様に、第２分割画像Ｇ２と第３分割画像Ｇ３との重複部分についてはこれら両画像Ｇ２、Ｇ３を平均化した画像を表示するようにしても良い。
【０２４８】
或いは、上記の第６の実施形態では、第１分割画像Ｇ１、第２分割画像Ｇ２に、それぞれ境界部画像Ｇ３と相互に重複する部分が存在する例を説明したが、重複部分が存在しないように第１分割画像Ｇ１、第２分割画像Ｇ２及び境界部画像Ｇ３を分割することも好ましい。すなわち、例えば、図２０に示すように、互いに相似形で互いに中心が等しい２つの矩形状の境界線Ｋ１、Ｋ２のうち、内側の境界線Ｋ１により第１分割画像Ｇ１と境界部画像Ｇ３とを区分けする一方で、外側の境界線Ｋ２により第２分割画像Ｇ２と境界部画像Ｇ３とを区分けするようにし、これら境界線Ｋ１、Ｋ２により挟まれた領域の画像を境界部画像Ｇ３としても良い。
【０２４９】
また、上記の第６の実施形態では、ヒストグラム検出部１による検出結果に応じて、境界部画像Ｇ３のうち平滑化処理を施すべき範囲を拡大させたり縮小させたりする例を説明したが、平滑化処理を施すべき範囲は一定（例えば常に境界部画像Ｇ３の全体）であっても良い。
【０２５０】
また、上記の第６の実施形態では、２次元ローパスフィルタ６０による平滑化処理結果を画像に反映させるか否かの指令を画像合成部５０に対して行うことにより、平滑化処理結果の画像への反映の有無を制御する例を説明したが、画像合成部５０に対する指令に代えて、２次元ローパスフィルタ６０に対する指令を行うことにより、平滑化処理結果の画像への反映の有無を制御するようにしても良い。すなわち、ヒストグラム検出部１による検出結果が、第１分割画像Ｇ１の表示領域に画面の焼き付きが生じる可能性があるような検出結果となった場合には、マイコン４から２次元ローパスフィルタ６０に対して制御信号を出力し、境界部画像Ｇ３を平滑化する処理を行わせる一方で、第１分割画像Ｇ１の表示領域に画面の焼き付きが生じる可能性がないような検出結果となった場合には、マイコン４から２次元ローパスフィルタ６０に対して制御信号を出力し、境界部画像Ｇ３を平滑化する処理を行わせないようにしても良い。
【０２５１】
〔第７の実施形態〕
図２１は第７の実施形態に係る表示装置７００の構成を示すブロック図である。
【０２５２】
上記の第６の実施形態では、第２の動作モードの場合に、ヒストグラム検出部１が、画像に含まれる画素の輝度レベル毎の統計分布を第１分割画像Ｇ１についてのみ検出する例について説明したが、第７の実施形態では、第２の動作モードの場合に、ヒストグラム検出部７０が、第１及び第２分割画像Ｇ１、Ｇ２の各々について輝度レベル分布を個別に検出する例について説明する。
【０２５３】
なお、第７の実施形態に係る表示装置７００は、以下に説明する点でのみ上記の第６の実施形態に係る表示装置６００と異なり、その他の点では第６の実施形態に係る表示装置６００と同様に構成されているため、第７の実施形態に係る表示装置７００において、表示装置６００と同様の構成要素には同一の符号を付し、その説明を省略する。
【０２５４】
図２１に示すように、本実施形態の場合、ヒストグラム検出部１に代えて、ヒストグラム検出部７０を備えている。このヒストグラム検出部７０は、第１ヒストグラム検出部７１と第２ヒストグラム検出部７２とを備えて構成されている。
【０２５５】
このうち第１ヒストグラム検出部７１は、第１の動作モードのときには、上記の各実施形態の場合におけるヒストグラム検出部１と同様に機能する。
【０２５６】
また、本実施形態の場合、切替部７は、動作モードを第１の動作モードに切り替えているときには入力画像信号を第１ヒストグラム検出部７１に対して出力する一方で、動作モードを第２の動作モードに切り替えているときには入力画像信号を画像分割部３０に対して出力する。
【０２５７】
また、本実施形態の場合の第２の動作モードのときには、画像分割部３０は、第１分割画像Ｇ１に対応する画像信号を第１ヒストグラム検出部７１に対して出力する一方で、第２分割画像Ｇ２に対応する画像信号を第２ヒストグラム検出部７２に対して出力する。
【０２５８】
そして、第１ヒストグラム検出部７１は、第１分割画像Ｇ１について輝度レベル分布を検出する一方で、第２ヒストグラム検出部７２は、第２分割画像Ｇ２について輝度レベル分布を検出する。
【０２５９】
また、本実施形態の場合の第２の動作モードのときには、マイコン４は、例えば、以下に説明する制御を行う。
【０２６０】
先ず、マイコン４は、第１及び第２分割画像Ｇ１、Ｇ２について、例えば、画面の焼き付きの可能性の有無の判定と、画像が暗すぎないかどうかの判定と、をそれぞれ行う。
【０２６１】
すなわち、マイコン４は、第１ヒストグラム検出部７２からの検出データに基づいて、上記の第６の実施形態で説明したのと同様に、第１分割画像Ｇ１における画面の焼き付きの可能性の有無を判定するのに加えて、該検出データに基づいて、第１分割画像Ｇ１が暗すぎないかどうかの判定を行う。
【０２６２】
同様に、マイコン４は、第２ヒストグラム検出部７２からの検出データに基づいて、第２分割画像Ｇ２における画面の焼き付きの可能性の有無を判定するのに加えて、第２分割画像Ｇ２が暗すぎないかどうかの判定を行う。
【０２６３】
更に、マイコン４は、第１分割画像Ｇ１と第２分割画像Ｇ２とで明暗の差が大きすぎないかどうかの判定を行う。
【０２６４】
そして、第１分割画像Ｇ１における画面の焼き付きの可能性が有ると判定した場合、マイコン４は、第１ガンマ処理部４１に対して制御データを出力し、第１分割画像Ｇ１における各画素の明暗の差が小さくなるようなガンマカーブを選択させて、焼き付きの発生を低減させる。
【０２６５】
同様に、第２分割画像Ｇ２における画面の焼き付きの可能性が有ると判定した場合、マイコン４は、第２ガンマ処理部４２に対して制御データを出力し、第２分割画像Ｇ２における各画素の明暗の差が小さくなるようなガンマカーブを選択させて、焼き付きの発生を低減させる。
【０２６６】
また、第１分割画像Ｇ１が暗すぎると判定した場合、マイコン４は、第１ガンマ処理部４１に対して制御データを出力し、第１分割画像Ｇ１における階調数を増加させるようなガンマカーブを選択させて、第１分割画像Ｇ１の画質を向上させる。
【０２６７】
同様に、第２分割画像Ｇ２が暗すぎると判定した場合、マイコン４は、第２ガンマ処理部４２に対して制御データを出力し、第２分割画像Ｇ２における階調数を増加させるようなガンマカーブを選択させて、第２分割画像Ｇ２の画質を向上させる。
【０２６８】
また、第１分割画像Ｇ１と第２分割画像Ｇ２とで明暗の差が大きすぎると判定した場合には、マイコン４は、これら両画像Ｇ１、Ｇ２の明暗の差を低減させるように、第１及び第２ガンマ処理部４１，４２に対してそれぞれ制御データを出力し、第１分割画像Ｇ１と第２分割画像Ｇ２の明暗の較差を低減させるようなガンマカーブを各々選択させて、表示画面２１全体の画質を向上させる。
【０２６９】
また、マイコン４は、第１及び第２分割画像Ｇ１、Ｇ２のうちの何れか一方における画面の焼き付きの可能性があると判定した場合、第１及び第２分割画像Ｇ１、Ｇ２のうちの何れか一方が暗すぎると判定した場合、或いは、第１及び第２分割画像Ｇ１、Ｇ２の明暗の差が大きすぎると判定した場合には、２次元ローパスフィルタ６０による平滑化処理結果を画像に反映させる旨を画像合成部５０に対して指令する。
【０２７０】
ここで、マイコン４は、例えば、ヒストグラム検出部７０による検出結果に基づき、第１分割画像Ｇ１と第２分割画像との明暗の差が大きいと判定される場合には、境界部画像Ｇ３のうち平滑化処理を施すべき範囲を拡大させる旨を指令する信号を２次元ローパスフィルタ６０に対して出力する。他方、第１及び第２分割画像Ｇ１、Ｇ２のうちの何れか一方における画面の焼き付きの可能性があるか、又は、第１及び第２分割画像Ｇ１、Ｇ２のうちの何れか一方が暗すぎる場合であっても、第１分割画像Ｇ１と第２分割画像との明暗の差が小さいと判定される場合には、境界部画像Ｇ３のうち平滑化処理を施すべき範囲を縮小させる旨を指令する信号を２次元ローパスフィルタ６０に対して出力する。
【０２７１】
以上のような第７の実施形態によれば、上記の第６の実施形態の場合と同様の効果が得られるのに加えて、以下の効果が得られる。
【０２７２】
第２の動作モードのときに、第１分割画像Ｇ１と第２分割画像Ｇ２について、個別に判定（例えば、画面の焼き付きの可能性の有無の判定、画像が暗すぎないかどうかの判定、画像総合観の明暗の差が大きすぎないかどうかの判定）を行い、その判定結果に応じて、第１分割画像Ｇ１と第２分割画像Ｇ２に対して個別にガンマ処理を施すので、第６の実施形態の場合よりも好適に各画像Ｇ１、Ｇ２に対してガンマ処理を施すことができる。
【０２７３】
つまり、例えば、第１及び第２分割画像Ｇ１、Ｇ２の各々の表示領域について、個別に画面の焼き付きの発生を低減させたり、個別に暗い画像の画質を向上させたり、第１及び第２分割画像Ｇ１、Ｇ２の各々の表示領域の画質の較差（輝度レベル分布の較差に基づき判定）を低減させて、表示画面２１全体の画質を向上させたりすることができる。
【０２７４】
なお、上記の第７の実施形態では、画像分割部３０が画像を２つの部分に分割する例を説明したが、３つ以上の部分に分割するようにしても良い。この場合、画像の分割数をｎ（＝３以上）とすると、ガンマ処理部４０は、例えば、少なくとも（ｎ−１）個、又はｎ個のガンマ処理部を備えるとともに、ヒストグラム検出部７０も、少なくとも（ｎ−１）個、又はｎ個のヒストグラム検出部を備えるものとし、ｎ個に分割された画像のうちの少なくとも（ｎ−１）個、又はｎ個の画像に対して、それぞれ個別に輝度レベル分布を検出し、該検出した輝度レベル分布に応じて、それぞれ個別にガンマ処理を施すようにすると良い。
【０２７５】
〔第８の実施形態〕
図２２は第８の実施形態に係る表示装置８００の構成を示すブロック図である。
【０２７６】
上記の第６及び第７の実施形態では、画像分割部３０による画像の分割境界が予め設定されている例について説明したが、第８の実施形態では、ヒストグラム検出部１により検出した輝度レベル分布に基づいて、画像の分割境界を決定する例について説明する。
【０２７７】
なお、第８の実施形態に係る表示装置８００は、以下に説明する点でのみ上記の第６の実施形態に係る表示装置６００と異なり、その他の点では第６の実施形態に係る表示装置６００と同様に構成されているため、第８の実施形態に係る表示装置８００において、表示装置６００と同様の構成要素には同一の符号を付し、その説明を省略する。
【０２７８】
図２２に示すように、本実施形態の場合、ヒストグラム検出部１は、例えば、画像分割部３０及び切替部７の前段に設けられている。
【０２７９】
第２の動作モードのときには、ヒストグラム検出部１及び切替部７を介して、画像分割部３０に画像信号が入力されるようになっている。
【０２８０】
他方、第１の動作モードのときには、ヒストグラム検出部１及び切替部７を介して、輝度補正部２に画像信号が入力されるようになっている。
【０２８１】
また、ガンマ処理部４０は、例えば、第１乃至第４のガンマ処理部４１、４２、４３、４４を備えている。
【０２８２】
本実施形態の場合の第２の動作モードの時には、ヒストグラム検出部１は、例えば、以下の２種類の検出動作が可能に構成されている。
【０２８３】
（１−１）表示画面２１を２分割した各々の表示領域に表示される画像（図２３（ａ）の第１及び第２分割画像Ｇ１１、Ｇ１２）について、それぞれ輝度レベル分布を検出する動作。
【０２８４】
（１−２）表示画面２１を４分割した各々の表示領域に表示される画像（図２３（ｂ）の第１乃至第４分割画像Ｇ１１〜Ｇ１４）について、それぞれ輝度レベル分布を検出する動作。
【０２８５】
また、マイコン４は、以下のような判定動作を行い、判定結果に応じて、ガンマ制御部４０、２次元ローパスフィルタ６０及び画像合成部５０を制御する。
【０２８６】
（２−１）ヒストグラム検出部１による上記（１−１）の検出動作の結果に基づいて、図２３（ａ）における第１分割画像Ｇ１１と第２分割画像Ｇ１２のうちの何れか一方のみに暗すぎる又は画面の焼き付きの可能性の問題があると判定した場合や、両画像Ｇ１１、Ｇ１２の明暗の較差が大きすぎるという問題があると判定した場合には、これら第１及び第２分割画像Ｇ１１、Ｇ１２を分割すべきであると判定する。つまり、この場合、表示画面２１における画像を、例えば図２３（ａ）に示す態様で２分割すべきであると判定する。
【０２８７】
また、この場合、画像分割部３０に対して、表示画面２１における画像を図２３（ａ）の第１分割画像Ｇ１１と第２分割画像Ｇ１２に分割し、該分割した各々の画像に対応する画像信号を第１、第２ガンマ処理部４１、４２に対して出力させる旨の指令と、該第１及び第２分割画像Ｇ１１、Ｇ１２の相互間の境界部画像（例えば、図２３（ａ）に示すような直線状の境界線の近傍の画像）を２次元ローパスフィルタ６０に対して出力させる旨の指令と、を行う。
【０２８８】
２次元ローパスフィルタ６０に対しては、画像Ｇ１１、Ｇ１２における問題の種類や程度に応じて、平滑化処理の範囲を拡大又は縮小させる指令を行う。
【０２８９】
画像合成部５０に対しては、画像Ｇ１１、Ｇ１２及びそれらの境界部画像を合成させる指令を行う。
【０２９０】
（２−２）ヒストグラム検出部１による上記（１−１）の検出動作の結果に基づいて第１及び第２分割画像Ｇ１１、Ｇ１２を分割すべきではないと判定した場合において、ヒストグラム検出部１による上記（１−２）の検出動作の結果に基づいて、第１〜第４分割画像Ｇ１１〜Ｇ１４のうち何れか１つのみに暗すぎる又は画面の焼き付きの可能性の問題があると判定した場合や、何れか１つの画像のみが他の画像との明暗の較差が大きすぎるという問題があると判定した場合には、表示画面２１全体の画像の中から該１つの画像（図２３（ｂ）の第１〜第４分割画像Ｇ１１〜Ｇ１４のうち何れか１つ）のみを分割すべきであると判定する。つまり、この場合、表示画面２１における画像を、例えば図２３（ｃ）に示す態様で２分割すべきであると判定する。
【０２９１】
また、この場合、画像分割部３０に対して、表示画面２１全体の画像の中から、問題のある何れか１つの画像（第１〜第４分割画像Ｇ１１〜Ｇ１４のうち何れか１つの画像）のみを分割させる。つまり、この場合、第１〜第４分割画像Ｇ１１〜Ｇ１４のうち、問題のある１つの画像（例えば、第１分割画像Ｇ１１）に対応する画像信号は第１ガンマ処理部４１に対して出力させる一方で、残る３つ分の画像（例えば、第２〜第４分割画像Ｇ１２〜Ｇ１４）に対応する画像信号は第２ガンマ処理部４２に対して出力させる旨の指令と、前記問題のある１つの画像と他の３つ分の画像との境界部画像を２次元ローパスフィルタ６０に対して出力させる旨の指令と、を画像分割部３０に対して行う。
【０２９２】
２次元ローパスフィルタ６０に対しては、前記問題のある１つの画像における問題の種類や程度に応じて、平滑化処理の範囲を拡大又は縮小させる指令を行う。
【０２９３】
画像合成部５０に対しては、前記問題のある１つの画像と、他の３つ分の画像と、それらの境界部画像（例えば、図２３（ｃ）に示すようなＬ字型の境界線の近傍の画像）と、を合成させる指令を行う。
【０２９４】
（２−３）ヒストグラム検出部１による上記（１−１）の検出動作の結果に基づいて第１及び第２分割画像Ｇ１１、Ｇ１２を分割すべきではないと判定した場合において、ヒストグラム検出部１による上記（１−２）の検出動作の結果に基づいて、第１〜第４分割画像Ｇ１１〜Ｇ１４のうち、相互に隣り合わない何れか２つの画像（画像Ｇ１１と画像Ｇ１４の組み合わせ、又は、画像Ｇ１１と画像Ｇ１４の組み合わせ）に、暗すぎる、画面の焼き付きの可能性がある、隣の画像との明暗の較差が大きすぎる、という３つの問題のうちの少なくとも１つが存在すると判定した場合には、第１〜第４分割画像Ｇ１１〜Ｇ１４を相互に分割すべきであると判定する。つまり、この場合は、表示画面２１における画像を、例えば図２３（ｂ）に示す態様で４分割すべきであると判定する。
【０２９５】
また、この場合、画像分割部３０に対して、表示画面２１における画像を図２３（ｂ）の第１〜第４分割画像Ｇ１１〜Ｇ１４に分割し、該分割した各々の画像に対応する画像信号を第１〜第４ガンマ処理部４１〜４４に対して出力させる旨の指令と、第１〜第４分割画像Ｇ１１〜Ｇ１４の相互間の境界部画像（例えば、図２３（ｂ）に示すような十字型の境界線の近傍の画像）を２次元ローパスフィルタ６０に対して出力させる旨の指令と、を行う。
【０２９６】
２次元ローパスフィルタ６０に対しては、問題のある２つの画像における問題の種類や程度に応じて、平滑化処理の範囲を拡大又は縮小させる指令を行う。
【０２９７】
ここで、境界部画像には、第１分割画像Ｇ１１と第２分割画像Ｇ１２との境界部である部分と、第１分割画像Ｇ１１と第３分割画像Ｇ１３との境界部である部分と、第２分割画像Ｇ１２と第４分割画像Ｇ１４との境界部である部分と、第３分割画像Ｇ１３と第４分割画像Ｇ１４との境界部である部分と、の４つの部分がある。よって、２次元ローパスフィルタ６０に対しては、これら４つの部分の各々について、個別に、平滑化処理の範囲を指令するようにしても良い。
【０２９８】
画像合成部５０に対しては、第１分割画像Ｇ１１と、第２分割画像Ｇ１２と、第３分割画像Ｇ１３と、第４分割画像Ｇ１４と、それらの境界部画像と、を合成させる指令を行う。
【０２９９】
（２−４）ヒストグラム検出部１による上記（１−１）の検出動作結果に基づいて第１及び第２分割画像Ｇ１１、Ｇ１２を分割すべきではないと判定した場合において、ヒストグラム検出部１による上記（１−２）の検出動作結果に基づいて、第１〜第４分割画像Ｇ１１〜Ｇ１４のうち、相互に隣り合う２つの画像（例えば、第１及び第３分割画像Ｇ１１、Ｇ１３）のみに、暗すぎる、画面の焼き付きの可能性がある、隣の画像との明暗の較差が大きすぎるという３つの問題のうちの少なくとも１つが問題が存在し、且つ、この隣り合う２つの画像（例えば、第１及び第３分割画像Ｇ１１、Ｇ１３）における問題の種類が相互に異なる（例えば、一方は暗すぎて、他方は焼き付きの可能性がある）と判定した場合には、表示画面２１全体の画像の中から、これら隣り合う２つの画像（例えば、第１及び第３分割画像Ｇ１１、Ｇ１３）のみを相互に独立に分割する一方で、残る２つの画像（例えば、第２及び第４分割画像Ｇ１２、Ｇ１４）は分割させないままにすべきであると判定する。つまり、この場合、表示画面２１における画像を、例えば、図２３（ｄ）に示す態様で３分割すべきであると判定する。
【０３００】
また、この場合、画像分割部３０に対して、表示画面２１全体の画像の中から、問題があり且つ相互に隣り合う２つの画像（例えば、第１及び第３分割画像Ｇ１１、Ｇ１３）のみを各々独立に分割させ、残る２つ分の画像はまとまった状態のままとさせる。つまり、この場合、問題があり且つ相互に隣り合う２つの画像のうちの一方（例えば第１分割画像Ｇ１）に対応する画像信号は第１ガンマ処理部４１に対して出力させ、他方（例えば第３分割画像Ｇ１３）に対応する画像信号は第２ガンマ処理部４２に対して出力させ、残る２つ分（例えば第２及び第４分割画像Ｇ１２、Ｇ１４）に対応する画像信号はまとめて第３ガンマ処理部４３に対して出力させる旨の指令と、前記問題のある２つの画像と、残る２つ分の画像と、の相互間の境界部画像（例えば、図２３（ｄ）に示すようなＴ字型の境界線の近傍の画像）を２次元ローパスフィルタ６０に対して出力させる旨の指令と、を画像分割部３０に対して行う。
【０３０１】
２次元ローパスフィルタ６０に対しては、問題のある２つの画像における問題の種類や程度に応じて、平滑化処理の範囲を拡大又は縮小させる指令を行う。
【０３０２】
ここで、境界部画像には、第１分割画像Ｇ１１と第２分割画像Ｇ１２との境界部である部分と、例えば、図２３（ｄ）の例の場合には、第１分割画像Ｇ１１と第３分割画像Ｇ１３との境界部である部分と、第１分割画像Ｇ１１と第２分割画像Ｇ１２との境界部である部分と、第３分割画像Ｇ１３と第４分割画像Ｇ１４との境界部である部分と、の３つの部分がある。よって、２次元ローパスフィルタ６０に対しては、これら３つの部分の各々について、個別に、平滑化処理の範囲を指令するようにしても良い。
【０３０３】
画像合成部５０に対しては、分割後の各画像、すなわち、例えば、第１分割画像Ｇ１１と、第３分割画像Ｇ１３と、第２及び第４分割画像Ｇ１２、Ｇ１４からなる画像と、それらの境界部画像と、を合成させる指令を行う。
【０３０４】
（２−５）判定が上記（２−１）〜（２−４）のいずれにも該当しない場合には、第１〜第４分割画像Ｇ１１〜Ｇ１４を分割すべきではないと判定する。
【０３０５】
この場合、画像分割部３０に対して、表示画面２１における画像を分割させずに、該画像全体に対応する画像信号を例えば第１ガンマ処理部４１に対してのみ出力させる旨の指令を行う。
【０３０６】
また、画像分割部３０は、表示画面２１に表示される画像を、マイコン４からの指令に応じて、例えば、以下の４種類の態様で分割する。
【０３０７】
（３−１）マイコン４により上記（２−１）の判定がなされた場合には、表示画面２１における画像を図２３（ａ）の第１分割画像Ｇ１１と第２分割画像Ｇ１２に分割し、該分割したうちの一方に対応する画像信号は第１ガンマ処理部４１に、他方に対応する画像信号は第２ガンマ処理部４２に、それぞれ出力するとともに、各画像の相互間の境界部画像に対応する画像信号は２次元ローパスフィルタ６０に対して出力する。
【０３０８】
（３−２）マイコン４により上記（２−２）の判定がなされた場合には、表示画面２１全体の画像の中から、問題のある何れか１つの画像（図２３（ｂ）の第１〜第４分割画像Ｇ１１〜Ｇ１４のうち何れか１つの画像）のみを分割し、該分割した１つの画像に対応する画像信号は第１ガンマ処理部４１に、残る３つ分の画像に対応する画像信号は第２ガンマ処理部４２に、それぞれ出力するとともに、問題のある１つの画像と他の３つ分の画像との境界部画像を２次元ローパスフィルタ６０に対して出力する。
【０３０９】
（３−３）マイコン４により上記（２−３）の判定がなされた場合には、表示画面２１における画像を図２３（ｂ）の第１〜第４分割画像Ｇ１１〜Ｇ１４に４分割し、該分割したうちの第１分割画像Ｇ１１に対応する画像信号は第１ガンマ処理部４１に、第２分割画像Ｇ１２に対応する画像信号は第２ガンマ処理部４２に、第３分割画像Ｇ１３に対応する画像信号は第３ガンマ処理部４３に、第４分割画像Ｇ１４に対応する画像信号は第４ガンマ処理部４４に、それぞれ出力するとともに、第１〜第４分割画像Ｇ１１〜Ｇ１４の相互間の境界部画像は２次元ローパスフィルタ６０に対して出力する。
【０３１０】
（３−４）マイコン４により上記（２−４）の判定がなされた場合には、表示画面２１全体の画像の中から、問題があり且つ相互に隣り合う２つの画像のみを各々独立に分割させ、残る２つ分の画像はまとまった状態のままとさせる。つまり、問題があり且つ相互に隣り合う２つの画像のうちの一方（例えば図２３（ｄ）の第１分割画像Ｇ１）に対応する画像信号は第１ガンマ処理部４１に対して出力し、他方（例えば図２３（ｄ）の第３分割画像Ｇ１３）に対応する画像信号は第２ガンマ処理部４２に対して出力し、残る２つ分（例えば図２３（ｄ）の第２及び第４分割画像Ｇ１２、Ｇ１４）に対応する画像信号はまとめて第３ガンマ処理部４３に対して出力するとともに、前記問題のある２つの画像と、残る２つ分の画像と、の相互間の境界部画像は２次元ローパスフィルタ６０に対して出力する。
【０３１１】
（３−５）マイコン４により上記（２−５）の判定がなされた場合には、表示画面２１全体の画像に対応する画像信号をガンマ処理に対してのみ出力する。
【０３１２】
また、各ガンマ処理部４１〜４４は、それぞれ、画像分割部３０から入力される画像信号に対し、マイコン４からの指令に従って選択したガンマカーブを用いてガンマ処理を施し、該処理後の画像信号を画像合成部５０に対して出力する。
【０３１３】
なお、画像が分割されない場合には、第２〜第４ガンマ処理部４２〜４４には画像信号が入力されず、これら第２〜第４ガンマ処理部４２〜４４はガンマ処理を行わないとともに画像合成部５０に対して画像信号を出力しない。
【０３１４】
また、画像が２分割される場合には、第３及び第４ガンマ処理部４３，４４には画像信号が入力されず、これら第３及び第４ガンマ処理部４３，４４はガンマ処理を行わないとともに画像合成部５０に対して画像信号を出力しない。
【０３１５】
更に、画像が３分割される場合には、第４ガンマ処理部４４には画像信号が入力されず、該第４ガンマ処理部４４はガンマ処理を行わないとともに画像合成部５０に対して画像信号を出力しない。
【０３１６】
２次元ローパスフィルタ６０は、画像分割部３０から入力される境界部画像（例えば、図２３（ａ）〜（ｄ）の何れかにおける画像の境界部の画像）に対して、平滑化処理を施して、画像合成部５０に対して出力する。
【０３１７】
なお、画像が分割されない場合には、２次元ローパスフィルタ６０には画像信号が入力されず、２次元ローパスフィルタ６０は平滑化処理を行わないとともに画像合成部５０に対して画像信号を出力しない。
【０３１８】
また、画像合成部５０は、画像が２分割された場合には、第１ガンマ処理部４１、第２ガンマ処理部４２及び２次元ローパスフィルタ６０から入力される各画像信号を合成して表示部２０に対して出力し、画像が３分割された場合には、第１ガンマ処理部４１、第２ガンマ処理部４２、第３ガンマ処理部４３及び２次元ローパスフィルタ６０から入力される各画像信号を合成して表示部２０に対して出力し、画像が４分割された場合には、第１ガンマ処理部４１、第２ガンマ処理部４２、第３ガンマ処理部４３、第４ガンマ処理部４４及び２次元ローパスフィルタ６０から入力される各画像信号を合成して表示部２０に対して出力する。なお、画像が分割されない場合には、画像合成部５０は、例えば第１ガンマ処理部４１から入力される表示画面２１全体の画像信号を表示部２０に対してそのまま出力する。
【０３１９】
次に、本実施形態の場合の第２の動作モードのときにおける動作を説明する。
【０３２０】
先ず、マイコン４は、ヒストグラム検出部１に対して指令を出力し、例えば、図２３（ａ）における第１分割画像Ｇ１１及び第２分割画像Ｇ１２について、それぞれ輝度レベル分布を検出させる。
【０３２１】
すると、ヒストグラム検出部１は、図２３（ａ）における第１分割画像Ｇ１１及び第２分割画像Ｇ１２について、それぞれ輝度レベル分布を検出し、該検出結果のデータをマイコン４に対して出力する。
【０３２２】
マイコン４は、これら２つの輝度レベル分布のデータに基づいて、表示画面２１の画像を図２３（ａ）における第１分割画像Ｇ１１と第２分割画像Ｇ１２に分割すべきか否かについての判定を行う。
【０３２３】
ここで、マイコン４は、例えば、図２３（ａ）における第１分割画像Ｇ１１と第２分割画像Ｇ１２のうちの何れか一方のみが暗すぎる場合や、何れか一方のみに画面の焼き付きの可能性がある場合や、両画像Ｇ１１、Ｇ１２における明暗の較差が大きすぎる場合には、これら第１及び第２分割画像Ｇ１１、Ｇ１２を分割すべきであると判定する。
【０３２４】
マイコン４は、図２３（ａ）における第１及び第２分割画像Ｇ１１、Ｇ１２を分割すべきであると判定した場合には、画像分割部３０に対しその旨を指令する。
【０３２５】
画像分割部３０は、この指令に従って画像を図２３（ａ）における第１及び第２分割画像Ｇ１１、Ｇ１２に分割し、このうち第１分割画像Ｇ１１に対応する画像信号は第１ガンマ処理部４１に、第２分割画像Ｇ１２に対応する画像信号は第２ガンマ処理部４２に、第１及び第２分割画像Ｇ１１、Ｇ１２の相互間の境界部画像に対応する画像信号は２次元ローパスフィルタ６０に、それぞれ出力する。
【０３２６】
また、マイコン４は、第１及び第２ガンマ処理部４１、４２に対し、それぞれ上記第２の実施形態で説明したのと同様の指令を行って、各々最適なガンマカーブを選択させ、焼き付きの発生を低減させたり、画質を向上させたりする。
【０３２７】
更に、マイコン４は、２次元ローパスフィルタ６０に対し、上記第２の実施形態で説明したのと同様の指令を行って、平滑化処理を施すべき範囲を拡大又は縮小させたりする。
【０３２８】
加えて、マイコン４は、２次元ローパスフィルタ６０による平滑化処理結果を画像に反映させる旨を画像合成部５０に対して指令する。
【０３２９】
他方、図２３（ａ）における第１及び第２分割画像Ｇ１１、Ｇ１２を分割すべきでないと判定した場合には、マイコン４は、ヒストグラム検出部１に対して指令を出力し、図２３（ｂ）における第１分割画像Ｇ１１、第２分割画像Ｇ１２、第３分割画像Ｇ１３、第４分割画像Ｇ１４について、それぞれ輝度レベル分布を検出させる。
【０３３０】
すると、ヒストグラム検出部１は、図２３（ｂ）における第１〜第４分割画像Ｇ１１〜Ｇ１４について、それぞれ輝度レベル分布を検出し、該検出結果のデータをマイコン４に対して出力する。
【０３３１】
マイコン４は、これら４つの輝度レベル分布のデータに基づいて、表示画面２１の画像を図２３（ｂ）における第１〜第４分割画像Ｇ１１〜Ｇ１４の何れかを分割すべきか否かについての判定を行う。
【０３３２】
ここで、マイコン４は、例えば、図２３（ｂ）における第１〜第４分割画像Ｇ１１〜Ｇ１４の何れかが暗すぎる場合や、何れかの画像に画面の焼き付きの可能性がある場合や、隣り合う何れかの画像間における明暗の較差が大きすぎる場合に、画像を分割すべきであると判定する。
【０３３３】
すなわち、例えば、第１〜第４分割画像Ｇ１１〜Ｇ１４のうち、何れか１つの画像（例えば第１分割画像Ｇ１１）のみに、暗すぎる、画面の焼き付きの可能性がある、他の画像との明暗の較差が大きすぎる、という問題がある場合には、表示画面２１全体の画像の中から該１つの画像（例えば第１分割画像Ｇ１１）のみを分割すべきであると判定する（上記（２−２）の判定）。
【０３３４】
或いは、例えば、第１〜第４分割画像Ｇ１１〜Ｇ１４のうち、相互に隣り合わない何れか２つの画像（例えば、第１及び第４分割画像Ｇ１１、Ｇ１４）のみが暗すぎる場合や、該２つの画像のみに画面の焼き付きの可能性がある場合や、該２つの画像における各々の隣の画像との明暗の較差が大きすぎる場合には、これら第１〜第４分割画像Ｇ１１〜Ｇ１４を相互に分割すべきであると判定する（上記（２−３）の判定）。
【０３３５】
或いは、例えば、第１〜第４分割画像Ｇ１１〜Ｇ１４のうち、相互に隣り合う２つの画像（例えば、第１及び第３分割画像Ｇ１１、Ｇ１３）が、暗すぎる場合や、画面の焼き付きの可能性がある場合や、隣の画像との明暗の較差が大きすぎる場合で、且つ、この隣り合う２つの画像（例えば、第１及び第３分割画像Ｇ１１、Ｇ１３）の画質が相互に異なる場合（例えば、一方は暗すぎて、他方は焼き付きの可能性がある場合など）には、表示画面２１全体の画像の中から、これら隣り合う２つの画像（例えば、第１及び第３分割画像Ｇ１１、Ｇ１３）を分割すべきであると判定する（上記（２−４）の判定）。
【０３３６】
マイコン４は、図２３（ｂ）における第１〜第４分割画像Ｇ１１〜Ｇ１４を分割すべきであると判定した場合には、どのように画像を分割するのかの指令を、画像分割部３０に対して上述のように行う。
【０３３７】
画像分割部３０は、この指令に従って画像を、例えば、図２３（ｂ）、図２３（ｃ）、或いは図２３（ｄ）のように適宜に分割し、このうち１つ目の画像に対応する画像信号は第１ガンマ処理部４１に、２つ目の画像に対応する画像信号は第２ガンマ処理部４２に、３つ目の画像に対応する画像信号は第３ガンマ処理部４３に、４つ目の画像に対応する画像信号は第４ガンマ処理部４４に、分割した各画像相互間の境界部画像に対応する画像信号は２次元ローパスフィルタ６０に、それぞれ出力する。なお、図２３（ｃ）のような態様で分割する場合には３つ目及び４つ目の画像は存在せず、図２３（ｄ）のような態様で分割する場合には４つ目の画像は存在しない。
【０３３８】
また、マイコン４は、第１〜第４ガンマ処理部４１〜４４のうちの画像信号が入力される何れか２つ乃至４つの処理部４１〜４４に対し、それぞれ上記第７の実施形態で説明したのと同様の指令を行って、各々最適なガンマカーブを選択させ、焼き付きの発生を低減させたり、画質を向上させたりする。
【０３３９】
更に、マイコン４は、２次元ローパスフィルタ６０に対し、上記第７の実施形態で説明したのと同様の指令を行って、平滑化処理を施すべき範囲を拡大又は縮小させたりする。
【０３４０】
加えて、マイコン４は、２次元ローパスフィルタ６０による平滑化処理結果を画像に反映させる旨を画像合成部５０に対して指令する。
【０３４１】
他方、図２３（ｂ）における第１〜第４分割画像Ｇ１１〜Ｇ１４の何れをも分割すべきでないと判定した場合（上記（２−５）の判定）には、マイコン４は、画像の分割を行わない旨を画像分割部３０に対して指令する。この場合、画像分割部３０は、表示画面２１全体の画像に対応する画像信号を、例えば第１ガンマ処理部４１に対してのみ出力し、第１ガンマ処理部４１は、この画像信号に対して一律に標準的なガンマ処理を施して、画像合成部５０に出力する。また、画像合成部５０は、第１ガンマ処理部４１からの画像信号をそのまま表示部２０に出力する。
【０３４２】
その後は、引き続き同様に図２３（ａ）における第１及び第２分割画像Ｇ１１、Ｇ１２についての輝度レベル分布に基づく判定と、図２３（ｂ）における第１〜第４分割画像Ｇ１１〜Ｇ１４についての輝度レベル分布に基づく判定と、を繰り返し行い、その判定結果に応じて、画像を分割して各々個別にガンマ処理を施したり、或いは、画像を分割せずに一律のガンマ処理を施したりする。
【０３４３】
以上のような第８の実施形態によれば、上記の第７の実施形態により得られる効果に加えて、以下の効果が得られる。
【０３４４】
すなわち、第８の実施形態によれば、第２の動作モードのときに、ヒストグラム検出部１により検出した輝度レベル分布に基づいて、画像の分割境界を決定するので、より最適な分割境界で画像を分割し、分割した各々の画像に対して個別にガンマ処理を施すことができる。
【０３４５】
なお、上記の第８の実施形態では、画像を４分割を上限として分割可能な例を説明したが、５つ以上に分割可能にしても良い。
【０３４６】
具体的には、例えば、２分割→４分割→８分割→・・・といったように、順次、輝度レベル分布の検出対象とする画像の領域を細分化していきながら、画像の分割数及び分割境界を決定することも好ましい。
【０３４７】
また、上記の第８の実施形態では、例えば、２分割した画像のうちの何れか一方が暗すぎたり画面の焼き付きの発生可能性があった場合に、直ちに画像の分割数及び分割境界を決定する例を説明したが、２分割した画像のうちの何れか一方が暗すぎたり何れか一方に画面の焼き付きの発生可能性があった場合に、さらに、該一方の画像を細分化していくことにより、画像の最適な分割境界を決定することも好ましい。すなわち、例えば、図２３（ａ）における第１及び第２分割画像Ｇ１１、Ｇ１２のうちの何れか一方が暗すぎたり画面の焼き付きの発生可能性があった場合に、該一方の画像（例えば第１分割画像Ｇ１１）を図２３（ｂ）における第１分割画像１１及び第３分割画像１３に分割し、該分割した各々の輝度レベル分布を判定し、該判定によっても何れか一方のみ（例えば第３分割画像Ｇ１３）が暗い場合や、何れか一方（例えば第３分割画像Ｇ１３）のみに画面の焼き付きの発生可能性がある場合には、画像（例えば第３分割画像Ｇ１３）のみを他の部分から分割する一方で、該判定では双方の画像の輝度レベル分布にあまり較差がなければ、図２３（ｂ）における第１及び第３分割画像１１、１３の分割は行わず、図２３（ａ）における第１及び第２分割画像Ｇ１１、Ｇ１２に分割するようにしても良い。
【０３４８】
＜変形例＞
図２４は第８の実施形態の変形例に係る表示装置８５０の構成を示すブロック図である。
【０３４９】
上記の第８の実施形態では、図２２に示すように、ヒストグラム検出部１が画像分割部３０の前段に設けられている例について説明したが、例えば、図２４に示すように、切替部７を介して、画像分割部３０（第２の動作モードのとき）又はヒストグラム検出部１（第１の動作モードのとき）に対して択一的に画像信号（表示画面２１の全体に対応する画像信号）が入力されるようになっていても良く、この場合にも、上記と同様の効果が得られる。
【０３５０】
〔第９の実施形態〕
上記の第６乃至第８の実施形態では、画像分割部３０による画像の分割境界が、予め設定されているか、又は、ヒストグラム検出部（ヒストグラム検出部１又は７０）により検出した輝度レベル分布に基づいて自動的に設定される例について説明したが、第９の実施形態では、画像の分割境界をユーザの操作により設定する例について説明する。
【０３５１】
また、上記の第６乃至第８の実施形態では、２次元ローパスフィルタ６０により平滑化処理を施す範囲が自動的に決定される例について説明したが、第９の実施形態では、平滑化処理の範囲についてもユーザの操作により設定する例について説明する。
【０３５２】
更に、上記の第６乃至第８の実施形態では、２次元ローパスフィルタ６０による平滑化処理の結果を反映させるか否かが自動的に決定される例について説明したが、第９の実施形態では、２次元ローパスフィルタ６０による平滑化処理の結果を反映させるか否かについてもユーザの操作により設定する例について説明する。
【０３５３】
図２５は第９の実施形態に係る表示装置９００の構成を示すブロック図である。
【０３５４】
なお、第９の実施形態に係る表示装置９００は、以下に説明する点でのみ上記の第７の実施形態に係る表示装置７００と異なり、その他の点では第７の実施形態に係る表示装置７００と同様に構成されているため、第９の実施形態に係る表示装置９００において、表示装置７００と同様の構成要素には同一の符号を付し、その説明を省略する。
【０３５５】
図２５に示すように、本実施形態の場合、表示装置９００は、ユーザに操作される操作部９０を備えている。この操作部９０は、例えば、マウスなどのＧＵＩ（Ｇｒａｐｈｉｃａｌ  Ｕｓｅｒ  Ｉｎｔｅｒｆａｃｅ）及び操作キー（操作ボタン）からなる。
【０３５６】
操作部９０は、ユーザによる操作を検出すると、操作の種類に応じた検出信号をマイコン４に対して出力する。マイコン４は、操作部９０から入力される検出信号の種類に応じて、画像分割部３０、２次元ローパスフィルタ及び画像合成部５０に対して指令信号を出力する。
【０３５７】
また、本実施形態の場合、画像分割部３０は、例えば、マイコン４からの指令に応じてのみ画像を分割するように構成され、マイコン４からの指令がない場合には、画像を分割せずに表示画面２１の全体の画像に対応する画像信号を第１ガンマ処理部４１に対してのみ出力する。
【０３５８】
従って、マイコン４から画像分割部３０に対して指令がない場合には、第１ガンマ処理部４１のみがガンマ処理を行って画像信号を画像合成部５０に出力し、第２ガンマ処理部４２はガンマ処理を行なわず、画像信号を画像合成部５０に出力しない。
【０３５９】
また、マイコン４から画像分割部３０に対して指令がない場合には、ヒストグラム検出部７０は輝度レベル分布を検出せず、２次元ローパスフィルタ６０は平滑化処理を行わず、画像合成部５０は画像を合成せずに第１ガンマ処理部４１から入力される画像信号をそのまま表示部２０に対して出力する。
【０３６０】
次に、本実施形態の場合の動作を説明する。
【０３６１】
先ず、ユーザは、表示画面２１に表示される画像に応じて、画像を分割するか否かを判断し、分割する場合には、操作部８０を操作して画像を所望の境界線で２分割する。
【０３６２】
ここで、画像の分割は、例えば、時計表示、チャンネル表示、映画の字幕表示がなされている場合や、一画面内に２画面の信号が存在すると認識した場合（ニュースなどで２つの中継場所、例えば１つはレポートを行う中継先で、もう１つはスタジオなどを共に映す場合）や、暗い部分と明るい部分での明暗の較差が大きい画像が表示されている場合に行うことが挙げられる。
【０３６３】
画像を分割する場合には、操作部９０に対して、画像の分割を開始する旨の操作を行う。すると、例えば、表示画面２１にて、ポインタＰ（図２５参照）或いはインジケータが表示される。
【０３６４】
そして、ユーザは、例えばポインタＰを移動させて分割したい画像の範囲を指定する。すなわち、例えば、ポインタＰの移動軌跡に応じて表示画面２１内に矩形状の枠Ｗが表示されるので、枠Ｗが所望の位置・寸法・形状となるようにドラッグ操作などを行ったところで、画像範囲の決定操作を行う。
【０３６５】
ここで、ポインタＰや枠Ｗの表示は、例えば、図示しない記憶部に記憶された絵柄データを用いて、マイコン４の制御下で、画像合成部５０にて嵌め込み合成することにより行われる。
【０３６６】
なお、枠Ｗは、矩形状に限らず、例えば、ポインタＰの任意の移動軌跡により閉塞される領域を枠Ｗとしても良い。
【０３６７】
こうして、操作部８０を用いた画像範囲の決定操作がなされると、マイコン４は、枠Ｗを境界線として画像を２分割させるべく、画像分割部３０に対して指令信号を出力する。
【０３６８】
画像分割部３０は、マイコン４からの指令信号を受けると、枠Ｗを境界線として画像を２分割し、このうち一方の画像（例えば第１分割画像Ｇ１）に対応する画像信号を第１ガンマ処理部４１に、他方の画像信号（例えば第２分割画像Ｇ２）に対応する画像信号を第２ガンマ処理部４２に、それぞれ出力するとともに、第１分割画像Ｇ１と第２分割画像Ｇ２との境界部の画像（境界部画像Ｇ３：図２５では図示略）を２次元ローパスフィルタ６０に対して出力する。
【０３６９】
更に、画像分割部３０は、２分割した画像、すなわち第１分割画像Ｇ１及び第２分割画像Ｇ２に対応する画像信号を、それぞれ第１ヒストグラム検出部７１及び第２ヒストグラム検出部７２に対して出力する。
【０３７０】
マイコン４は、上記の第７の実施形態で説明したのと同様に、判定動作を行って、その判定結果に基づいて第１ガンマ処理部４１及び第２ガンマ処理部４２を制御する。
【０３７１】
第１ガンマ処理部４１及び第２ガンマ処理部４２は、それぞれマイコン４による指令に従ってガンマカーブを選択し、該選択したガンマカーブを用いて画像信号にガンマ処理を施して、画像合成部５０に対して出力する。
【０３７２】
他方、２次元ローパスフィルタ６０は、境界部画像Ｇ３のうち、ユーザによる前回の設定操作により決定された範囲の画像に対して、平滑化処理を施して、画像合成部５０に対して出力する。
【０３７３】
画像合成部５０は、第１ガンマ処理部４１からの第１分割画像Ｇ１と、第２ガンマ処理部４２からの第２分割画像Ｇ２と、２次元ローパスフィルタ６０からの境界部画像Ｇ３とを合成し、合成後の画像信号を表示部２０に対して出力する。
【０３７４】
表示部２０では、画像合成部５０からの画像信号に基づき画像を表示する。
【０３７５】
次に、ユーザは、この画像表示を確認して、第１分割画像Ｇ１と第２分割画像Ｇ２との境界部に対する平滑化処理を施すべき画像の範囲を判断したり、平滑化処理の必要性の有無を判断する。
【０３７６】
すなわち、ユーザは、例えば、平滑化処理の範囲が広すぎるために、かえって画像が劣化していると感じた場合には、操作部９０に対し、平滑化処理を施すべき画像の範囲を縮小する操作を行う。
【０３７７】
すると、マイコン４は、２次元ローパスフィルタ６０に対して、平滑化処理を施すべき画像の範囲を縮小させる制御指令を出力し、この制御指令を受けて２次元ローパスフィルタ６０は平滑化処理を施すべき画像の範囲を縮小する。
【０３７８】
他方、平滑化処理の範囲が狭すぎるために、画像の境界線が顕在化していると感じた場合には、ユーザは、操作部９０に対し、平滑化処理を施すべき画像の範囲を拡大する操作を行う。
【０３７９】
すると、マイコン４は、２次元ローパスフィルタ６０に対して、平滑化処理を施すべき画像の範囲を拡大させる制御指令を出力し、この制御指令を受けて２次元ローパスフィルタ６０は平滑化処理を施すべき画像の範囲を拡大する。
【０３８０】
また、境界部画像Ｇ３に対する平滑化処理自体が必要ないと感じた場合には、ユーザは、操作部９０に対し、平滑化処理の結果を反映させないようにする操作を行う。すると、マイコン４は、画像合成部５０に対して、平滑化処理の結果を反映させないようにする制御指令を出力し、この制御指令を受けて画像合成部５０は平滑化処理の結果を反映させないようにする。
【０３８１】
以上のような第９の実施形態によれば、上記の第７の実施形態と同様の効果が得られる他、以下の効果が得られる。
【０３８２】
すなわち、第９の実施形態によれば、操作部９０を操作することにより、画像分割部３０による画像の分割境界や、２次元ローパスフィルタ６０による平滑化処理を施す画像範囲や、２次元ローパスフィルタ６０による平滑化処理の有効／無効の別（結果を反映させるか否か）を、それぞれユーザが任意に設定することができる。
【０３８３】
なお、上記の第９の実施形態では、画像分割部３０による画像の分割境界、２次元ローパスフィルタ６０による平滑化処理を施す画像範囲、及び、２次元ローパスフィルタ６０による平滑化処理の有効／無効の別を、それぞれユーザが任意に選択操作可能な例を説明したが、これらの選択操作に加えて、ガンマ処理部４０でのガンマ処理の態様もユーザが任意に選択操作することが可能に構成しても良い。すなわち、例えば、ユーザが操作部９０を操作することにより、暗い画像の階調数を増加させたり、或いは、焼き付きが発生しそうな画像における明暗の差を小さくさせたりすることができるようにしても良い。なお、ガンマ処理部４０でのガンマ処理態様をユーザが任意に選択操作可能な場合には、ヒストグラム検出部７０は無くても良い。
【０３８４】
また、上記の第９の実施形態では、画像の分割境界となる枠Ｗの位置・寸法・形状をユーザが任意に設定可能な例を説明したが、例えば、画像の分割境界の選択肢は予め定められており、この既定の選択肢の中から所望の分割境界の選択操作を行うことにより、画像の分割境界を決定できるようにしても良い。すなわち、例えば、図２３（ｂ）に示すように４分割された画像のうちの何れか（１つ〜３つの範囲内の任意の画像）をユーザが操作部９０に対する操作によって選択し、該選択された画像を画像分割部３０が分割するようにしても良い。
【０３８５】
〔第１０の実施形態〕
図２６は第１０の実施形態に係る表示装置７５０の構成を示す。
【０３８６】
上記の第６乃至第９の各実施形態では、切替部７が画像分割部３０やヒストグラム検出部（ヒストグラム検出部１、７０）の前段に設けられている例を説明したが、第１０の実施形態では、切替部７が画像合成部５０及び輝度補正部２の後段に配置されている例を説明する。
【０３８７】
なお、第１０の実施形態に係る表示装置７５０は、以下に説明する点でのみ上記の第６の実施形態に係る表示装置６００と異なり、その他の点では第６の実施形態に係る表示装置６００と同様に構成されているため、第１０の実施形態に係る表示装置７５０において、表示装置６００と同様の構成要素には同一の符号を付し、その説明を省略する。
【０３８８】
本実施形態の場合、入力画像信号は、画像分割部３０及びヒストグラム検出部１の前段にて分岐し、画像分割部３０及びヒストグラム検出部１に対してそれぞれ入力される。
【０３８９】
そして、画像分割部３０、ヒストグラム検出部１、ガンマ処理部４０、２次元ローパスフィルタ６０、画像合成部５０及びマイコン４によるガンマ処理と、ヒストグラム検出部１、輝度補正部２及びマイコン４による輝度補正処理と、を並行して行い、それぞれの処理結果としての画像信号を、画像合成部５０及び輝度補正部２から切替部７に対してそれぞれ入力する。
【０３９０】
ただし、切替部７では、マイコン４からの制御信号に応じて、第１の動作モードのときには輝度補正部２から入力される画像信号のみを選択的に表示部２０に対して送信する一方で、第２の動作モードのときには画像合成部５０から入力される画像信号のみを選択的に表示部２０に対して送信する。
【０３９１】
その結果、表示部２０では、第１の動作モードのときには、ヒストグラム検出部１、輝度補正部２及びマイコン４による輝度補正処理が施された画像信号に基づき画像表示を行う一方で、第２の動作モードのときには、画像分割部３０、ヒストグラム検出部１、ガンマ処理部４０、２次元ローパスフィルタ６０、画像合成部５０及びマイコン４によるガンマ処理が施された画像信号に基づき画像表示を行う。
【０３９２】
以上のような第１０の実施形態によれば、上記の第６の実施形態と同様の効果が得られる。
【０３９３】
なお、第１０の実施形態では、第６の実施形態に係る表示装置６００の一部を変更した例を説明したが、本実施形態のように切替部７を画像合成部５０及び輝度補正部２の後段に配置する変更は、第７乃至第９の各実施形態にも同様に適用可能である。
【０３９４】
また、上記の第６乃至第１０の実施形態では、切替部７を備える例を説明したが、本発明はこの例に限らず、切替部７を省略しても良い。具体的には、例えば、画像分割部３０、ヒストグラム検出部１（７０）、ガンマ処理部４０、２次元ローパスフィルタ６０、画像合成部５０及びマイコン４によるガンマ処理と、ヒストグラム検出部１（７０）、輝度補正部２及びマイコン４による輝度補正処理と、を並行して行うとともに、マイコン４からの制御信号に応じて、画像合成部５０又は輝度補正部２から択一的に表示部２０に対して画像信号を出力するように構成すれば、切替部７を省略できる。
【０３９５】
また、上記の第６乃至第１０の実施形態では、ガンマ処理を行う機能部（画像分割部３０、ヒストグラム検出部１（７０）、ガンマ処理部４０、２次元ローパスフィルタ６０、画像合成部５０及びマイコン４）と、輝度補正処理を行う機能部（ヒストグラム検出部１（７０）、輝度補正部２及びマイコン４）で、マイコン４及びヒストグラム検出部１（７０）を共有する例を説明したが、ガンマ処理を行う機能部と輝度補正処理を行う機能部で、各々別個にマイコン４及びヒストグラム検出部１（７０）のうちのいずれか一方又は両方を備えるようにしても良い。
【０３９６】
また、上記の第６乃至第９の実施形態では、非線形処理としてガンマ処理を行う例について説明したが、非線形処理の例としては、その他にも、例えば、コントラスト調整処理、シャープネス調整処理、ノイズリダクション処理及び色補正処理が挙げられる。
【０３９７】
また、非線形処理として、ガンマ処理、コントラスト調整処理、シャープネス調整処理、ノイズリダクション処理及び色補正処理のうちの何れか１つの処理を、画像を複数部分に分割した各々の分割部分のうちの少なくとも何れか１つの画像に対して（好ましくは、分割した各々の画像に対して個別に）行うのであっても良いし、或いは、２つ以上の処理を行うのであっても良い。
【０３９８】
また、上記の第６乃至第９の実施形態では、輝度レベル分布をヒストグラム化して検出する例を説明したが、要は輝度レベルの統計分布を認識可能であれば良く、輝度レベル分布は、その他の統計グラフ化して検出することとしても良い。
【０３９９】
更に、上記の第６乃至第１０の実施形態で説明したように、画像分割部３０及び画像合成部５０を用いることにより、画像分割部３０による分割後、且つ、画像合成部５０による合成前の画像信号に対して画像処理を施す構成は、非線形処理（ガンマ処理など）を行う場合に限らず、輝度補正処理を行う場合にも同様に適用可能である。すなわち、例えば、第２乃至第４の実施形態で説明したように、一表示画面の一部の表示領域について輝度レベル分布を検出し、該表示領域における輝度レベルの補正を行う場合には、例えば、ヒストグラム検出部１の前段に画像分割部３０を配置し、輝度補正部２の後段に画像合成部５０を配置すればよい。更に、その場合に、必要に応じて、画像分割部３０以降における画像信号の各伝達経路にヒストグラム検出部１及び輝度補正部２をそれぞれ別個に設けても良い。更に、第２乃至第４の実施形態のように輝度補正処理を行うに際し、画像分割部３０及び画像合成部５０を備える場合には、上記の第６乃至第１０の実施形態で説明したような２次元ローパスフィルタ（境界部画像処理手段）６０を備えることも好ましく、この場合、合成される画像間の境界部を平滑化することができる。
【０４００】
〔第１１の実施形態〕
図２７は第１１の実施形態に係る表示装置１１００の構成を示すブロック図、図２８乃至図３０は表示装置１１００の動作を説明するための図である。
【０４０１】
例えばプラズマディスプレイパネルなどの表示部を備える表示装置においては、高輝度の画像表示を継続的に行う場合、表示パネルの温度が非常に高くなる。すなわち、ＡＰＬが大きい画像を表示する時間が長くなるほど表示パネルの温度は上昇する。そして、表示パネルがある程度以上の温度となってしまうと、表示パネルの割れといった破壊現象や、温度上昇による電気的特性値の変動といった悪影響が生じる可能性がある。
【０４０２】
そこで、第１１の実施形態では、図２８に示すように、表示部２０の表示画面Ｇ１１０１全体の中から、白レベルの画像Ｇ１１０２の表示位置を検出し、更に、該白レベルの画像Ｇ１１０２の表示態様が、所定の条件を満たす表示態様であるか否かを、ヒストグラム検出部１による検出結果に基づき判定し、所定の条件を満たす表示態様での表示が所定時間β以上継続する場合に、表示パネルに悪影響を及ぼすと判定し、輝度レベルの補正動作を輝度補正部２に行わせる。
【０４０３】
このような動作を実現するために、第１１の実施形態に係る表示装置１１００は、図２７に示すように、第１の実施形態に係る表示装置１００（図１）の各構成要素に加えて、画像位置検出部１１０１と、タイマー１１０３と、画面サイズ情報出力部１１０２と、を備えて構成されている。
【０４０４】
本実施形態に係る表示装置１１００においては、画像信号は、例えば、ヒストグラム検出部１及び画像位置検出部１１０１の前段において分岐し、ヒストグラム検出部１及び画像位置検出部１１０１に対してそれぞれ入力される。
【０４０５】
ヒストグラム検出部１は、上記の第１の実施形態と同様に、表示画面Ｇ１１０１（図２８）の全体について輝度レベル分布を検出し、図３０に示すような検出結果（検出データ）をマイコン４宛に出力する。
【０４０６】
なお、本実施形態の場合、例えば、図３０に示すように、白レベルの画素の数と黒レベルの画素の数だけを計数すれば良く、中間レベルの画素については計数を行う必要がない。
【０４０７】
画像位置検出部１１０１は、表示部２０の表示画面Ｇ１１０１全体の中から、白レベルの画像Ｇ１１０２の表示位置を検出し、検出結果（検出データ）をマイコン４宛に出力する。
【０４０８】
画像位置検出部１１０１による検出動作は、具体的には、例えば、以下に説明するように行う。
【０４０９】
すなわち、画像位置検出部１１０１は、例えば、図２８に示す表示画面Ｇ１１０１における左上の位置Ｐ３の画素→その１つ下に位置する画素→更にその１つ下に位置する画素→、・・・の順に輝度レベルが白レベルであると判定される画素を検出するまで輝度レベルの判定動作を繰り返し行う。更に、一番下の画素まで判定動作を行っても白レベルの画素がなければ、一列だけ右側の画素列について、同様の判定動作を一番上側の画素から順に行う。
【０４１０】
なお、画素が白レベルであるか否かの判定には、予め、白レベルに含まれる任意の輝度レベルをしきい値と設定しておく。そして、判定は、画素の輝度レベルが、そのしきい値を超えるか否かを判定することにより行う。
【０４１１】
このような判定動作を繰り返す結果、例えば、図２８に示す位置Ｐ１の画素についての判定動作により、始めて白レベルである旨の判定結果が得られたとする。すると、画像位置検出部１１０１は、この位置Ｐ１を白レベルの画像Ｇ１１０２の始点位置であると認識し、記憶する。
【０４１２】
続いて、画像位置検出部１１０１は、例えば、表示画面Ｇ１１０１における右下の位置Ｐ４の画素→その１つ上に位置する画素→更にその１つ上に位置する画素→、・・・の順に輝度レベルが白レベルであると判定される画素を検出するまで輝度レベルの判定動作を繰り返し行う。更に、一番上の画素まで判定動作を行っても白レベルの画素がなければ、一列だけ左側の画素列について、同様の判定動作を一番下側の画素から順に行う。
【０４１３】
このような判定動作を繰り返す結果、例えば、図２８に示す位置Ｐ２の画素についての判定動作により、始めて白レベルである旨の判定結果が得られたとする。
【０４１４】
すると、画像位置検出部１１０１は、この位置Ｐ２を白レベルの画像Ｇ１１０２の終点位置であると認識し、記憶する。
【０４１５】
続いて、画像位置検出部１１０１は、対角に位置する２つの頂点が位置Ｐ１及び位置Ｐ２である矩形状の領域内の画像を、白レベルの画像Ｇ１１０２であると認識する。
【０４１６】
画像位置検出部１１０１は、例えばこのようにして白レベルの画像Ｇ１１０２の表示位置及び表示領域の多さ（該表示領域に含まれる画素数）を検出する。
【０４１７】
マイコン４では、画像位置検出部１１０１による検出結果と、ヒストグラム検出部１による検出結果と、を比較し、白レベルの画像Ｇ１１０２の表示態様が、表示パネルが割れるなどの悪影響が生じる可能性があるような所定条件を満たす表示態様であるか否かを判定する。
【０４１８】
すなわち、白レベルの画像Ｇ１１０２内に含まれる白レベルの画素の数や、白レベルの画像Ｇ１１０２内に含まれる白レベルの画素の割合などに応じて、判定を行う。
【０４１９】
そして、マイコン４は、上記の所定条件を満たす表示態様であると判定される状態が、所定時間β以上継続する場合に、表示パネルが割れるなどの悪影響が生じる可能性があると判定し、輝度レベルの補正動作を行わせるべく、輝度補正部２に対して制御データを送信する。なお、所定時間βの計時動作は、タイマー１１０３からマイコン４に入力される計時情報に基づき行う。
【０４２０】
輝度補正部２は、輝度レベルの補正のためにマイコン４から制御データが送信されると、ヒストグラム検出部１を介して入力される入力画像信号に対し、輝度レベルの補正を行う。
【０４２１】
ここで、表示パネルに悪影響が生じる可能性があるか否かの判定に、画像位置検出部１１０１による検出結果だけでなく、ヒストグラム検出部１による検出結果も用いるのは、以下の理由による。
【０４２２】
すなわち、画像位置検出部１１０１による検出動作では、極端な例を挙げると、例えば図２８に示すように白レベルの画像Ｇ１１０２に含まれる画素が全て白レベルである場合も、図２９に示すように始点及び終点として検出された位置Ｐ１及びＰ２のみが白レベルである場合も、互いに同一の検出結果が得られる。
【０４２３】
例えば、図２８に示すように白レベルの画素がある程度以上多いような表示状態が継続すると輝度レベルの補正を行う必要があるが、図２９に示すように白レベルの画素が殆ど無い場合には輝度レベルの補正を行う必要がない。
【０４２４】
よって、ヒストグラム検出部１による検出結果を用いることにより、マイコン４にて適正な判定を行うことができ、不要な補正動作を行うことを防止することができる。
【０４２５】
ところで、例えば、ユーザの操作に応じて画面サイズ（表示画面Ｇ１１０１全体のうち画像表示に使用される領域のサイズ）選択的に切り替えることが可能に構成された表示装置の場合、上記のように画像位置検出部１１０１及びヒストグラム検出部１による検出結果だけを用いた判定では、適切な判定を行うことができない場合がある。
【０４２６】
すなわち、例えば、小さい画面サイズが選択されている場合には、実際に表示画面Ｇ１１０１に表示される画像は画像信号が示す画像サイズよりも小さく圧縮されているため、実際には輝度レベルの補正を行う必要が無い場合がある。
【０４２７】
そこで、本実施形態の場合、例えば、ユーザの操作に応じて選択的に切り替えられる画面サイズ（表示画面Ｇ１１０１全体のうち画像表示に使用される領域のサイズ）を示す画面サイズ情報を画面サイズ情報出力部１１０２からマイコン４宛に出力するようになっており、マイコン４では、この画面サイズ情報に応じた補正を施して、上記の判定動作を行う。
【０４２８】
これにより、マイコン４では、より適正な判定を行うことができ、不要な補正動作を行うことを防止することができる。
【０４２９】
以上のような第１１の実施形態によれば、表示部２０（表示パネル）が高温となることを防止でき、表示パネルが割れるといった悪影響の発生を抑制することができる。
【０４３０】
なお、上記の第１１の実施形態では、表示パネルが割れるなどの悪影響を及ぼすと判定した場合に、輝度レベルの補正を行うことにより悪影響の発生を抑制する例を説明したが、この例に限らず、例えば、非線形処理（上記の第６の実施形態など参照）を行うようにしても良い。
【０４３１】
また、上記の第１１の実施形態では、表示パネルが割れるといった悪影響の発生を抑制することを目的とした例を説明したが、判定条件を適宜変更することにより、上記の第１１の実施形態と同様の構成の表示装置１１００によっても、上記の第１乃至第１０の実施形態と同様に画面の焼き付きを防止することができる。逆に、上記の第１乃至第１０の実施形態においても、判定条件を適宜変更することにより、表示パネルが割れるといった悪影響の発生を抑制することもできる。
【０４３２】
また、上記の第１１の実施形態では、ヒストグラム検出部１と画像位置検出部１１０１とが別個に構成され、ヒストグラム検出部１及び画像位置検出部１１０１に対して並列に画像信号が入力される例を説明したが、ヒストグラム検出部１と画像位置検出部１１０１とは、例えば、同一のＩＣにより構成されていても良い。この場合、ヒストグラム検出部１及び画像位置検出部１１０１を構成するＩＣに入力される１系統の画像信号を用いて、例えば、ヒストグラムの検出処理と画像位置の検出処理とを、並行して行ったり、或いは、何れかの順序で順次行ったりする。
【０４３３】
また、ヒストグラム検出部１と画像位置検出部１１０１とが別個に構成されている場合、ヒストグラム検出部１と画像位置検出部１１０１のうちの一方が前段に、他方が後段に配設されており、ヒストグラム検出部１及び画像位置検出部１１０１に対して、何れかの順序で順次、画像信号が入力されるようになっていても良い。
【０４３４】
また、上記の第１１の実施形態では、表示装置１１００が画面サイズ情報出力部１１０２を備える例を説明したが、画面サイズが固定である表示装置の場合、画面サイズ情報出力部１１０２は備える必要がない。
【０４３５】
また、上記の各実施形態では、表示装置としてプラズマ表示装置を例示したが、本発明はこの例に限らず、その他の表示装置にも適用可能である。
【図面の簡単な説明】
【０４３６】
【図１】第１の実施形態に係る表示装置の構成を示すブロック図である。
【図２】動作を説明するための図であり、このうち（ａ）は画面に表示される画像の一例を示し、（ｂ）は画像が（ａ）である場合のヒストグラム化された輝度レベル分布を示す。
【図３】ヒストグラム化された輝度レベル分布の一例を示す図である。
【図４】ヒストグラム化された輝度レベル分布の一例を示す図である。
【図５】ヒストグラム化された輝度レベル分布の一例を示す図である。
【図６】ヒストグラム化された輝度レベル分布の一例を示す図である。
【図７】ヒストグラム化された輝度レベル分布の一例を示す図である。
【図８】ヒストグラム化された輝度レベル分布の一例を示す図である。
【図９】ヒストグラム化された輝度レベル分布の一例を示す図である。
【図１０】図１の表示装置が行う主要な制御フローを示すフローチャートである。
【図１１】図１の変形例の表示装置の構成を示すブロック図である。
【図１２】第２の実施形態の場合の動作を説明するための図であり、このうち（ａ）は画面に表示される画像の一例を示し、（ｂ）は画像が（ａ）である場合のヒストグラム化された輝度レベル分布を示す。
【図１３】図１２と同様に、（ａ）は画面に表示される画像の他の一例を示し、（ｂ）は画像が（ａ）である場合のヒストグラム化された輝度レベル分布を示す。
【図１４】第３の実施形態に係る表示装置の構成を示すブロック図である。
【図１５】第４の実施形態に係る表示装置の構成を示すブロック図である。
【図１６】図１５の表示装置が行う主要な制御フローを示すフローチャートである。
【図１７】第５の実施形態の場合の輝度レベル補正を説明するための図であり、このうち（ａ）は白レベルの表示領域Ｒ１の周囲の表示領域Ｒ２が全黒である場合の画面表示を示す図、（ｂ）は白レベルの表示領域Ｒ１の周囲の表示領域Ｒ２が全白である場合の画面表示を示す図である。
【図１８】第５の実施形態の場合の輝度レベル補正に用いられる補正曲線の一例を示す図である。
【図１９】第６の実施形態に係る表示装置の構成を示すブロック図である。
【図２０】第６の実施形態の場合の画像の分割の仕方の他の一例を示す図である。
【図２１】第７の実施形態に係る表示装置の構成を示すブロック図である。
【図２２】第８の実施形態に係る表示装置の構成を示すブロック図である。
【図２３】図２２の表示装置の動作を説明するための図である。
【図２４】第８の実施形態に係る表示装置の構成の他の一例を示すブロック図である。
【図２５】第９の実施形態に係る表示装置の構成を示すブロック図である。
【図２６】第１０の実施形態に係る表示装置の構成を示すブロック図である。
【図２７】第１１の実施形態に係る表示装置の構成を示すブロック図である。
【図２８】第１１の実施形態に係る表示装置の動作を説明するための図である。
【図２９】第１１の実施形態に係る表示装置の動作を説明するための図である。
【図３０】第１１の実施形態に係る表示装置の動作を説明するための図である。
【図３１】従来の表示装置の構成を示すブロック図である。
【符号の説明】
【０４３７】
１      ヒストグラム検出部（輝度レベル分布検出手段）
２      輝度補正部（輝度補正手段）
１０    焼付き軽減部（画像処理装置）
２０    表示部
４      マイコン（輝度補正手段、検出領域変更手段、指定データ書換手段、動作モード選択手段）
ａ      第１のしきい値
ｂ      第２のしきい値
ｃ      第３のしきい値
ｄ      第４のしきい値
ｅ      第５のしきい値
１００  表示装置
５      タイマー（輝度補正手段）
１５０  表示装置
１Ａ    ヒストグラム検出部（輝度レベル分布検出手段）
３００  表示装置
６      記憶部（検出領域変更手段、記憶手段）
４００  表示装置
７      切替部（動作モード選択手段）
３０    画像分割部（画像分割手段）
４０    ガンマ処理部（非線形処理手段）
４１    第１ガンマ処理部
４２    第２ガンマ処理部
５０    画像合成部（画像合成手段）
６０    ２次元ローパスフィルタ（境界部画像処理手段）
６００  表示装置
７０    ヒストグラム検出部（輝度レベル分布検出手段）
７１    第１ヒストグラム検出部
７２    第２ヒストグラム検出部
７００  表示装置
４３    第３ガンマ処理部
４４    第４ガンマ処理部
８００  表示装置
８５０  表示装置
９０    操作部（境界線指定操作手段、平滑化処理有効／無効選択操作手段、非線形処理指定操作手段）
９００  表示装置
７５０  表示装置
１１００  表示装置
１１０１  画像位置検出部（画像位置検出手段）
【図１】
2006053523.tif 000003
【図３】
2006053523.tif 000004
【図４】
2006053523.tif 000005
【図５】
2006053523.tif 000006
【図６】
2006053523.tif 000007
【図７】
2006053523.tif 000008
【図８】
2006053523.tif 000009
【図９】
2006053523.tif 000010
【図１０】
2006053523.tif 000011
【図１１】
2006053523.tif 000012
【図１４】
2006053523.tif 000013
【図１５】
2006053523.tif 000014
【図１６】
2006053523.tif 000015
【図１７】
2006053523.tif 000016
【図１８】
2006053523.tif 000017
【図１９】
2006053523.tif 000018
【図２０】
2006053523.tif 000019
【図２１】
2006053523.tif 000020
【図２２】
2006053523.tif 000021
【図２３】
2006053523.tif 000022
【図２４】
2006053523.tif 000023
【図２５】
2006053523.tif 000024
【図２６】
2006053523.tif 000025
【図２７】
2006053523.tif 000026
【図２８】
2006053523.tif 000027
【図２９】
2006053523.tif 000028
【図３０】
2006053523.tif 000029
【図３１】
2006053523.tif 000030
【図２】
2006053523.tif 000031
【図１２】
2006053523.tif 000032
【図１３】
2006053523.tif 000033